(57)【特許請求の範囲】
【請求項１】
超高信頼低遅延通信（Ultra-Reliable Low Latency Communication；ＵＲＬＬＣ）でアップリンク送信（uplink transmission）を行う方法であって、該方法は、端末によって行われ、
基地局から、動的グラントフリーアップリンク送信に関する第１の設定情報（configuration information）を受信することと、
前記第１の設定情報に基づいて、ＰＵＳＣＨを介して、前記基地局にアップリンクデータ（uplink data）を送信することと、を有し、
前記第１の設定情報は、動的グラントベースアップリンク送信に関する第２の設定情報と別個に設定され、
前記動的グラントフリーアップリンク送信は、準静的に設定され、
前記動的グラントベースアップリンク送信は、動的に設定され、
前記第１の設定情報は、上位層シグナリング（higher layer signaling）を通じて受信され、（ｉ）前記アップリンクデータの送信に関するリソースに関連する情報、（ｉｉ）プリコーディング及びレイヤの数に関連する情報、（ｉｉｉ）復調用参照信号（DeModulation Reference Signal；ＤＭＲＳ）シーケンス生成子の初期化に関連する情報、及び（ｉｖ）位相トラッキング用参照信号（Phase Tracking Reference Signal；ＰＴＲＳ）を送信するか否かに関連する情報を有する、方法。
【請求項２】
前記第１の設定情報は、前記アップリンクデータの繰り返し送信に関連する情報をさらに有し、
前記繰り返し送信に関連する情報は、前記アップリンクデータの繰り返し回数（repetition number）に関する情報を有する、請求項１に記載の方法。
【請求項３】
前記第１の設定情報は、前記アップリンクデータの送信に関連するホッピング（hopping）に関する情報をさらに有する、請求項２に記載の方法。
【請求項４】
前記第１の設定情報は、前記動的グラントフリーアップリンク送信に適用される波形タイプに関する情報をさらに有し、
前記波形タイプは、前記第１の設定情報に基づいて、巡回プリフィックス直交周波数分割多重（Cyclic Prefix-Orthogonal Frequency Division Multiplexing；ＣＰ−ＯＦＤＭ）及び離散フーリエ変換拡散直交周波数分割多重（Discrete Fourier Transform-spread-Orthogonal Frequency Division Multiplexing；ＤＦＴ−ｓ−ＯＦＤＭ）の１つに基づいて設定される、請求項１に記載の方法。
【請求項５】
前記動的グラントフリーアップリンク送信に適用される前記波形タイプは、前記第１の設定情報に有されたリソース割り当てタイプ（resource allocation type）にさらに基づいて前記端末に設定される、請求項４に記載の方法。
【請求項６】
前記ＤＦＴ−ｓ−ＯＦＤＭの場合、擬似ランダムノイズ（Pseudo-random Noise；ＰＮ）シーケンスが、前記アップリンクデータの送信に関する前記ＤＭＲＳに関して用いられ、
前記ＣＰ−ＯＦＤＭの場合、巡回シフトされたザァドフチュウ（Zadoff-Chu；ＺＣ）シーケンスが、前記ＤＭＲＳに関して用いられる、請求項４に記載の方法。
【請求項７】
超高信頼低遅延通信（Ultra-Reliable Low Latency Communication；ＵＲＬＬＣ）でアップリンク送信（uplink transmission）を行う端末であって、
無線信号を送受信するための無線周波（Radio Frequency；ＲＦ）ユニットと、
前記ＲＦユニットと機能的に接続されているプロセッサと、を有し、
前記プロセッサは、
基地局から、動的グラントフリーアップリンク送信に関する第１の設定情報（configuration information）を受信し、
前記第１の設定情報に基づいて、ＰＵＳＣＨを介して、前記基地局にアップリンクデータ（uplink data）を送信するように制御し、
前記第１の設定情報は、動的グラントベースアップリンク送信に関する第２の設定情報と別個に設定され、
前記動的グラントフリーアップリンク送信は、準静的に設定され、
前記動的グラントベースアップリンク送信は、動的に設定され、
前記第１の設定情報は、上位層シグナリング（higher layer signaling）を通じて受信され、（ｉ）前記アップリンクデータの送信に関するリソースに関連する情報、（ｉｉ）プリコーディング及びレイヤの数に関連する情報、（ｉｉｉ）復調用参照信号（DeModulation Reference Signal；ＤＭＲＳ）シーケンス生成子の初期化に関連する情報、及び（ｉｖ）位相トラッキング用参照信号（Phase Tracking Reference Signal；ＰＴＲＳ）を送信するか否かに関連する情報を有する、端末。
【請求項８】
前記第１の設定情報は、前記アップリンクデータの繰り返し送信に関連する情報をさらに有し、
前記繰り返し送信に関連する情報は、前記アップリンクデータの繰り返し回数（repetition number）に関する情報を有する、請求項７に記載の端末。
【請求項９】
前記第１の設定情報は、前記アップリンクデータの送信に関連するホッピング（hopping）に関する情報をさらに有する、請求項８に記載の端末。
【請求項１０】
前記第１の設定情報は、前記動的グラントフリーアップリンク送信に適用される波形タイプに関する情報をさらに有し、
前記波形タイプは、前記第１の設定情報に基づいて、巡回プリフィックス直交周波数分割多重（Cyclic Prefix-Orthogonal Frequency Division Multiplexing；ＣＰ−ＯＦＤＭ）及び離散フーリエ変換拡散直交周波数分割多重（Discrete Fourier Transform-spread-Orthogonal Frequency Division Multiplexing；ＤＦＴ−ｓ−ＯＦＤＭ）の１つに基づいて設定される、請求項７に記載の端末。
【請求項１１】
前記ＤＦＴ−ｓ−ＯＦＤＭの場合、擬似ランダムノイズ（Pseudo-random Noise；ＰＮ）シーケンスが、前記アップリンクデータの送信に関する前記ＤＭＲＳに関して用いられ、
前記ＣＰ−ＯＦＤＭの場合、巡回シフトされたザァドフチュウ（Zadoff-Chu；ＺＣ）シーケンスが、前記ＤＭＲＳに関して用いられる、請求項１０に記載の端末。
【請求項１２】
前記ＰＴＲＳを送信するか否かは、前記ＰＴＲＳを送信するか否かに関連する情報に基づいて、前記動的グラントベースアップリンク送信におけるのと同じ方式で前記端末に設定される、請求項１に記載の方法。
【発明の詳細な説明】
【技術分野】
【０００１】
本発明は、無線通信システムに関し、より詳しくは、端末がアップリンク伝送（送信）（uplink transmission）を行うための方法及びそれをサポート（支援）する（supporting）装置に関する。
【背景技術】
【０００２】
移動通信システムは、ユーザの活動性を保証しながら音声サービスを提供するために開発された。しかしながら、移動通信システムは、音声だけでなく、データサービスまで領域を拡張し、現在では、爆発的なトラフィックの増加によってリソース（資源）（resource）が不足する現象が引き起こされ、ユーザがより高速のサービスを要求するので、より発展した移動通信システムが要求されている。
【０００３】
次世代の移動通信システムの要求条件は、総じて（大きく）（generally）、爆発的なデータトラフィックのサポート（収容）（supporting）、ユーザ当たりの転送レート（率）（transfer rate）の画期的な増加、大幅に増加した接続（連結）デバイス（connection devices）の個数のサポート、非常に低いエンドツーエンド（端対端）レイテンシ（遅延）（End-to-End Latency）、高エネルギ効率をサポートできなければならない。そのために、二重接続（連結性）（Dual Connectivity）、大規模多入力多出力（多重入出力）（Massive MIMO：Massive Multiple Input Multiple Output）、全二重（In-band Full Duplex）、非直交多元（多重）接続（ＮＯＭＡ：Non-Orthogonal Multiple Access）、超広帯域（Super wideband）サポート、端末ネットワーキング（Device Networking）など、多様な技術が研究されている。
【発明の概要】
【発明が解決しようとする課題】
【０００４】
本明細書は、無線通信システムにおいて端末がアップリンク伝送を行う方法を提案する。
【０００５】
特に、本明細書は、端末が基地局による動的スケジューリング（例えば、アップリンクグラント（uplink grant））なしでアップリンク伝送を行う方法を提案する。
【０００６】
このために、本明細書は、端末が基地局による動的スケジューリングなしでアップリンク伝送を行うことができるように、上位層シグナリング（higher layer signaling）などを通じて伝達される設定情報（configuration information）を構成する方法、これを取得するための方法及びそれを取得した場合の端末の動作方法を提案する。
【０００７】
本発明で達成しようとする技術的課題は、以上で言及した技術的課題に制限されず、言及しない更に他の技術的課題は、以下の記載から本発明が属する技術分野で通常の知識を有する者に明確に理解できるはずである。
【課題を解決するための手段】
【０００８】
本発明の実施形態による無線通信システムで端末がアップリンク伝送を行う方法であって、方法は、基地局から、アップリンクグラントなしでアップリンク伝送を行うための設定情報を受信する過程と、設定情報に基づいて設定される少なくとも１つのアップリンクリソースを通じて、基地局にアップリンクデータを伝送する過程と、を有することができる。設定情報は、上位層シグナリングを通じて受信され、アップリンクデータの繰り返し伝送（repetition transmission）に関する情報を有することができる。
【０００９】
また、本発明の実施形態による方法であって、繰り返し伝送に関する情報は、アップリンクデータの繰り返し回数（repetition number）を示す情報を有することができる。この場合、設定情報は、アップリンクデータの伝送に関連するホッピング（hopping）に関する情報をさらに有することもできる。また、繰り返し回数は、スロットベースの（slot based）繰り返し伝送と非スロットベースの（non-slot based）繰り返し伝送とに対して同一に設定できる。
【００１０】
また、本発明の実施形態による方法であって、端末がアップリンク伝送のための複数の波形タイプ（waveform type）をサポートする場合、設定情報は、アップリンクデータの伝送に適用される特定の波形タイプを示す情報をさらに有することができる。例えば、特定の波形タイプは、巡回プリフィックス直交周波数分割多重（Cyclic Prefix-Orthogonal Frequency Division Multiplexing；ＣＰ−ＯＦＤＭ）又は離散フーリエ変換拡散直交周波数分割多重（Discrete Fourier Transform-spread-Orthogonal Frequency Division Multiplexing；ＤＦＴ−ｓ−ＯＦＤＭ）のいずれか１つに基づく。
【００１１】
また、特定の波形タイプは、設定情報に有されたリソース割り当てタイプ（resource allocation type）によって決定されることもできる。例えば、少なくとも１つのアップリンクリソースが連続して（contiguously）割り当てられる場合、特定の波形タイプは、ＤＦＴ−ｓ−ＯＦＤＭベースの波形タイプであり、少なくとも１つのアップリンクリソースが不連続で（non-contiguously）割り当てられる場合、特定の波形タイプは、ＣＰ−ＯＦＤＭベースの波形タイプでありうる。
【００１２】
また、本発明の実施形態による方法であって、アップリンクデータの伝送のための復調用参照信号（DeModulation Reference Signal；ＤＭＲＳ）は、複数の波形タイプによって異なるように設定されることもできる。
【００１３】
本発明の実施形態による無線通信システムでアップリンク伝送を行う端末であって、端末は、無線信号を送受信するための無線周波（Radio Frequency；ＲＦ）ユニットと、ＲＦユニットと機能的に接続されているプロセッサと、を有することができる。プロセッサは、基地局から、アップリンクグラントなしでアップリンク伝送を行うための設定情報を受信し、設定情報に基づいて設定される少なくとも１つのアップリンクリソースを通じて、基地局にアップリンクデータ（uplink data）を伝送するように制御することができる。設定情報は、上位層シグナリングを通じて受信され、設定情報は、アップリンクデータの繰り返し伝送に関する情報を有することができる。
【００１４】
また、本発明の実施形態による端末であって、繰り返し伝送に関する情報は、アップリンクデータの繰り返し回数を示す情報を有することができる。この場合、設定情報は、アップリンクデータの伝送に関連するホッピングに関する情報をさらに有することができる。
【００１５】
また、本発明の実施形態による端末であって、端末がアップリンク伝送のための複数の波形タイプをサポートする場合、設定情報は、アップリンクデータの伝送に適用される特定の波形タイプを示す情報をさらに有することもできる。例えば、特定の波形タイプは、ＣＰ−ＯＦＤＭ又はＤＦＴ−ｓ−ＯＦＤＭのいずれか１つに基づく。
【００１６】
また、本発明の実施形態による端末であって、アップリンクデータの伝送のためのＤＭＲＳは、複数の波形タイプによって異なるように設定される。
【発明の効果】
【００１７】
本発明の実施形態によれば、端末がアップリンク伝送のための動的スケジューリング（例えば、アップリンクグラントなど）を受信できないか、又は、省略できる場合もアップリンク伝送を行うことができるという効果がある。
【００１８】
また、本発明の実施形態によれば、アップリンク伝送のための動的スケジューリング（例えば、アップリンクグラントなど）を受信することができないか、省略できる場合も、端末がアップリンク伝送に必須の情報又は役に立つ情報を基地局から取得したり、自主的に導出できるという効果がある。
【００１９】
また、本発明の実施形態によれば、複数のアンテナポートに基づいた伝送モード（transmission mode）を用いる場合も、端末が複数のアンテナポート構成に必要な情報を取得できるという効果がある。
【００２０】
本発明で得ることができる効果は、以上で言及した効果に制限されず、言及しない更に他の効果は、以下の記載から本発明が属する技術分野で通常の知識を有する者に明確に理解できるはずである。
【図面の簡単な説明】
【００２１】
【図１】本明細書で提案する方法が適用できるＮＲの全体的なシステム構造の一例を示す図である。
【図２】本明細書で提案する方法が適用できる無線通信システムにおけるアップリンクフレームとダウンリンクフレームとの間の関係を示す図である。
【図３】本明細書で提案する方法が適用できる無線通信システムでサポートするリソース（資源）グリッド（resource grid）の一例を示す図である。
【図４】本明細書で提案する方法が適用できるアンテナポート及びヌメロロジ別のリソースグリッドの例を示す図である。
【図５】本明細書で提案する方法を適用できる自己完結型（self-contained）構造の一例を示す図である。
【図６】本発明で提案する方法を適用できる無線通信システムにおいてアップリンク伝送を行う端末の動作のフローチャートである。
【図７】本明細書で提案する方法を適用できる無線通信装置のブロック構成図である。
【図８】本発明の一実施形態による通信装置のブロック構成図である。
【発明を実施するための形態】
【００２２】
本発明に関する理解を助けるために詳細な説明の一部として含まれる添付図面は、本発明に関する実施形態を提供し、詳細な説明と共に本発明の技術的特徴を説明する。
【００２３】
以下、本発明に従う好ましい実施形態を添付した図面を参照して詳細に説明する。添付した図面と共に以下に開示される詳細な説明は、本発明の例示的な実施形態を説明しようとするものであり、本発明が実施できる唯一の実施形態を示そうとするものではない。以下の詳細な説明は、本発明の完全な理解を提供するために、具体的な細部事項を含む。しかしながら、当業者は、本発明がこのような具体的な細部事項がなくても実施できることが分かる。
【００２４】
幾つかの場合、本発明の概念が曖昧になることを避けるために公知の構造及び装置は、省略されるか、又は各構造及び装置の中核機能を中心としたブロック図形式で図示できる。
【００２５】
本明細書で、基地局は、端末と直接通信を行う（遂行する）（communicates）ネットワークの終端ノード（terminal node）としての意味を有する。本文書で、基地局により行われ（遂行され）る（performed）ものとして説明された特定の動作は、場合によっては、基地局の上位ノード（upper node）により実行されることもできる。即ち、基地局を含む複数のネットワークノード（network nodes）からなるネットワークで、端末との通信のために実行される多様な動作は、基地局又は基地局以外の他のネットワークノードにより実行できることは自明である。‘基地局（ＢＳ：Base Station）’は、固定局（fixed station）、Ｎｏｄｅ  Ｂ、ｅＮＢ（evolved-NodeB）、ＢＴＳ（Base Transceiver System）、アクセスポイント（ＡＰ：Access Point）、ｇＮＢ（general NB）などの用語により置き換えできる。また、‘端末（Terminal）’は、固定されるか、又はモビリティ（移動性）（mobility）を有することができ、ＵＥ（User Equipment）、ＭＳ（Mobile Station）、ＵＴ（user terminal）、ＭＳＳ（Mobile Subscriber Station）、ＳＳ（Subscriber Station）、ＡＭＳ（Advanced Mobile Station）、ＷＴ（Wireless terminal）、ＭＴＣ（Machine-Type Communication）装置、Ｍ２Ｍ（Machine-to-Machine）装置、Ｄ２Ｄ（Device-to-Device）装置などの用語に置き換えできる。
【００２６】
以下、ダウンリンク（ＤＬ：DownLink）は、基地局から端末への通信を意味し、アップリンク（ＵＬ：UpLink）は、端末から基地局への通信を意味する。ダウンリンクにおいて、送信器は基地局の一部であり、受信器は端末の一部でありうる。アップリンクにおいて、送信器は端末の一部であり、受信器は基地局の一部でありうる。
【００２７】
以下の説明で使われる特定の用語は、本発明の理解を助けるために提供されたものであり、これらの特定用語の使用は、本発明の技術的思想を逸脱しない範囲で異なる形態に変更できる。
【００２８】
以下の技術は、ＣＤＭＡ（Code Division Multiple Access）、ＦＤＭＡ（Frequency Division Multiple Access）、ＴＤＭＡ（Time Division Multiple Access）、ＯＦＤＭＡ（Orthogonal Frequency Division Multiple Access）、ＳＣ−ＦＤＭＡ（Single Carrier Frequency Division Multiple Access）、ＮＯＭＡ（Non-Orthogonal Multiple Access）などの多様な無線アクセス（接続）（access）システムに利用できる。ＣＤＭＡは、ＵＴＲＡ（Universal Terrestrial Radio Access）やＣＤＭＡ２０００などの無線技術（radio technology）で具現できる。ＴＤＭＡは、ＧＳＭ（登録商標）（Global System for Mobile communications）／ＧＰＲＳ（General Packet Radio Service）／ＥＤＧＥ（Enhanced Data rates for GSM Evolution）などの無線技術で具現できる。ＯＦＤＭＡは、ＩＥＥＥ  ８０２．１１（ＷｉＦｉ）、ＩＥＥＥ  ８０２．１６（ＷｉＭＡＸ）、ＩＥＥＥ  ８０２−２０、Ｅ−ＵＴＲＡ（Evolved UTRA）などの無線技術で具現できる。ＵＴＲＡは、ＵＭＴＳ（Universal Mobile Telecommunications System）の一部である。３ＧＰＰ（3rd Generation Partnership Project）ＬＴＥ（Long Term Evolution）は、Ｅ−ＵＴＲＡを使用するＥ−ＵＭＴＳ（Evolved UMTS）の一部であって、ダウンリンクでＯＦＤＭＡを採用し、アップリンクでＳＣ−ＦＤＭＡを採用する。ＬＴＥ−Ａ（advanced）は、３ＧＰＰ  ＬＴＥが発展したものである。
【００２９】
本発明の実施形態は、無線アクセスシステムであるＩＥＥＥ８０２、３ＧＰＰ、及び３ＧＰＰ２のうち、少なくとも１つで開示された標準文書により裏付けられる。即ち、本発明の実施形態のうち、本発明の技術的思想を明確に示すために説明しないステップ又は部分は、上記文書により裏付けられる。また、本文書で開示している全ての用語は、上記標準文書により説明できる。
【００３０】
説明を明確にするために、３ＧＰＰ ＬＴＥ／ＬＴＥ−Ａ／ＮＲ（New RAT）を中心として技術するが、本発明の技術的特徴がこれに制限されるものではない。
【００３１】
スマートフォン（smartphone）及びＩｏＴ（Internet Of Things）端末などの普及が急速に（速く）広がる（拡散される）（spreads）ことにより、通信網を通じてやりとりする情報の量が増加している。これにより、次世代無線アクセス技術では、既存の通信システム（又は、既存の無線アクセス技術（radio access technology））よりさらに多くのユーザにさらに速いサービスを提供する環境（例えば、拡張された（向上した）移動広域通信（enhanced mobile broadband communication））が考慮される必要がある。
【００３２】
このために、複数の機器及び事物（モノ）（object）を接続してサービスを提供するＭＴＣ（Machine Type Communication）を考慮する通信システムのデザインが論議されている。また、通信の信頼性（reliability）及び／又は遅延（latency）にセンシティブな（敏感な）（sensitive）サービス及び／又は端末などを考慮する通信システム（例えば、ＵＲＬＬＣ（Ultra-Reliable and Low Latency Communication）のデザインも議論されている。
【００３３】
以下、本明細書において、説明の便宜のために、上記次世代無線アクセス技術は、ＮＲ（New RAT（Radio Access Technology））と称され、上記ＮＲが適用される無線通信システムは、ＮＲシステムと称される。
【００３４】
用語の定義
【００３５】
ｅＬＴＥ  ｅＮＢ：ｅＬＴＥ  ｅＮＢは、ＥＰＣ（Evolved Packet Core）及びＮＧＣ（Next Generation Core）に対する接続をサポートするｅＮＢが発展したもの（evolution）である。
【００３６】
ｇＮＢ：ＮＧＣとの接続だけでなく、ＮＲをサポートするノード。
【００３７】
新たなＲＡＮ：ＮＲ又はＥ−ＵＴＲＡをサポートするか、又はＮＧＣと相互作用する無線アクセスネットワーク。
【００３８】
ネットワークスライス（network slice）：ネットワークスライスは、終端間の範囲（レンジ）（inter-terminal range）と共に特定の要求事項を要求する特定の市場シナリオ（market scenario）に対して最適化された解決法（ソリューション）（solution）を提供するようにｏｐｅｒａｔｏｒにより定義されたネットワーク。
【００３９】
ネットワーク機能（network function）：ネットワーク機能は、よく定義された外部インターフェースとよく定義された機能的動作とを有するネットワークインフラ内での論理的ノード。
【００４０】
ＮＧ−Ｃ：新たなＲＡＮとＮＧＣとの間のＮＧ２リファレンスポイント（reference point）に使われる制御プレーン（制御平面）（control plane）インターフェース。
【００４１】
ＮＧ−Ｕ：新たなＲＡＮとＮＧＣとの間のＮＧ３リファレンスポイント（reference point）に使われるユーザプレーン（ユーザ平面）（user plane）インターフェース。
【００４２】
非独立型（Non-standalone）ＮＲ：ｇＮＢが、ＬＴＥ  ｅＮＢをＥＰＣへの制御プレーン接続のためのアンカとして要求するか、又はｅＬＴＥ  ｅＮＢをＮＧＣへの制御プレーン接続のためのアンカとして要求する配置構成。
【００４３】
非独立型Ｅ−ＵＴＲＡ：ｅＬＴＥ  ｅＮＢが、ＮＧＣへの制御プレーン接続のためのアンカとしてｇＮＢを要求する配置構成。
【００４４】
ユーザプレーンゲートウェイ：ＮＧ−Ｕインターフェースの終端点（terminal point）。
【００４５】
システム一般
【００４６】
図１は、本明細書で提案する方法を適用できるＮＲの全体的なシステム構造の一例を示した図である。
【００４７】
図１を参照すると、ＮＧ−ＲＡＮは、ＮＧ−ＲＡユーザプレーン（新たなＡＳ  ｓｕｂｌａｙｅｒ／ＰＤＣＰ／ＲＬＣ／ＭＡＣ／ＰＨＹ）及びＵＥ（User Equipment）に対する制御プレーン（ＲＲＣ）プロトコルの終端（protocol terminal）を提供するｇＮＢで構成される。
【００４８】
上記ｇＮＢは、Ｘｎインターフェースを通じて相互接続（連結）される（connected）。
【００４９】
また、上記ｇＮＢは、ＮＧインターフェースを通じてＮＧＣに接続される。
【００５０】
より具体的には、上記ｇＮＢは、Ｎ２インターフェースを通じてＡＭＦ（Access and Mobility Management Function）に、Ｎ３インターフェースを通じてＵＰＦ（User Plane Function）に接続される。
【００５１】
ＮＲ（New Rat）ヌメロロジ（Numerology）及びフレーム（frame）構造
【００５２】
ＮＲシステムでは、複数のヌメロロジ（numerology）をサポートできる。ここで、ヌメロロジは、サブキャリア間隔（subcarrier spacing）及びＣＰ（Cyclic Prefix）オーバーヘッドにより定義できる。この際、複数のサブキャリア間隔は、基本サブキャリア間隔を整数Ｎ（又は、μ）にスケーリング（scaling）することにより導出（誘導）できる（derived）。また、非常に高い搬送波周波数で非常に低いサブキャリア間隔を利用しないと仮定されても、用いられるヌメロロジは、周波数帯域と独立して選択できる。
【００５３】
また、ＮＲシステムでは、複数のヌメロロジに従う多様なフレーム構造をサポートできる。
【００５４】
以下、ＮＲシステムで考慮できるＯＦＤＭ（Orthogonal Frequency Division Multiplexing）ヌメロロジ及びフレーム構造を説明する。
【００５５】
＊ＮＲシステムでサポートされる多数のＯＦＤＭヌメロロジは、表１のように定義できる。
【００５６】
＜表１＞
【表１】
0006852165.tif 000002
【００５７】
ＮＲシステムにおけるフレーム構造（frame structure）と関連して、時間領域の多様なフィールドのサイズは、
0006852165.tif 000003
の時間単位の倍数として表現される。ここで、
0006852165.tif 000004
であり、
0006852165.tif 000005
である。ダウンリンク（downlink）及びアップリンク（uplink）転送は、
0006852165.tif 000006
の区間を有する無線フレーム（radio frame）で構成される。ここで、無線フレームは、各々
0006852165.tif 000007
の区間を有する１０個のサブフレーム（subframe）で構成される。この場合、アップリンクに対する１セットのフレーム及びダウンリンクに対する１セットのフレームが存在することができる。
【００５８】
図２は、本明細書で提案する方法を適用できる無線通信システムにおけるアップリンクフレームとダウンリンクフレームとの間の関係を示す。
【００５９】
図２に示すように、端末（User Equipment、ＵＥ）からのアップリンクフレーム番号ｉの転送は、該当端末での該当ダウンリンクフレームの開始より
0006852165.tif 000008
以前に始めなければならない。
【００６０】
ヌメロロジμに対して、スロット（slot）は、サブフレーム内で
0006852165.tif 000009
の増加する順に番号が付けられて、無線フレーム内で
0006852165.tif 000010
の増加する順に番号が付けられる。１つのスロットは、
0006852165.tif 000011
個の連続するＯＦＤＭシンボルで構成され、
0006852165.tif 000012
は、用いられるヌメロロジ及びスロット設定（slot configuration）によって決定される。サブフレームでスロット
0006852165.tif 000013
の開始は、同一サブフレームでＯＦＤＭシンボル
0006852165.tif 000014
の開始と時間的に揃えられる（整列される）（temporally aligned）。
【００６１】
全ての端末が同時に送信及び受信できるものではなく、これは、ダウンリンクスロット（downlink slot）又はアップリンクスロット（uplink slot）の全てのＯＦＤＭシンボルが使用可能でない（利用できない）（not all OFDM symbols in a DL slot or an UL slot are available to be used）ことを意味する。
【００６２】
表２は、ヌメロロジμでのノーマル（一般）（normal）ＣＰに対するスロット当たりのＯＦＤＭシンボルの数を示し、表３は、ヌメロロジμでの拡張（extended）ＣＰに対するスロット当たりのＯＦＤＭシンボルの数を示す。
【００６３】
＜表２＞
【表２】
0006852165.tif 000015
【００６４】
＜表３＞
【表３】
0006852165.tif 000016
【００６５】
ＮＲ物理リソース（NR Physical Resource）
【００６６】
ＮＲシステムにおける物理リソース（physical resource）と関連して、アンテナポート（antenna port）、リソースグリッド（resource grid）、リソースエレメント（要素）（resource element）、リソースブロック（resource block）、キャリアパート（carrier part）などが考慮できる。
【００６７】
以下、ＮＲシステムで考慮できる上記物理リソースに関して具体的に説明する。
【００６８】
まず、アンテナポートと関連して、アンテナポートは、１つのアンテナポート上のシンボルが運搬されるチャネルが、同一のアンテナポート上の他のシンボルが運搬されるチャネルから推論できるように定義される。１つのアンテナポート上のシンボルが運搬されるチャネルの広範囲特性（large-scale property）が、他のアンテナポート上のシンボルが運搬されるチャネルから類推できる場合、２つのアンテナポートは、ＱＣ／ＱＣＬ（Quasi Co-located又はQuasi Co-Location）関係にあるということができる。ここで、上記広範囲特性は、遅延拡散（Delay spread）、ドップラ拡散（Doppler spread）、周波数シフト（Frequency shift）、平均受信電力（パワー）（Average received power）、受信タイミング（Received Timing）のうちの１つ又は複数を含む。
【００６９】
図３は、本明細書で提案する方法が適用されることができる無線通信システムでサポートするリソースグリッド（resource grid）の一例を示す。
【００７０】
図３を参考すると、リソースグリッドが周波数領域上に
0006852165.tif 000017
個のサブキャリアで構成され、１つのサブフレームが１４・２μ個のＯＦＤＭシンボルで構成されることを例示的に記述するが、これに限定されるものではない。
【００７１】
ＮＲシステムにおいて、伝送される信号（transmitted signal）は、
0006852165.tif 000018
個のサブキャリアから構成される１つ又は複数のリソースグリッド及び
0006852165.tif 000019
個のＯＦＤＭシンボルによって説明される。ここで、
0006852165.tif 000020
である。上記
0006852165.tif 000021
は、最大伝送帯域幅を示し、これは、ヌメロロジだけでなく、アップリンクとダウンリンクとの間でも変わることができる。
【００７２】
この場合、図４に示すように、ヌメロロジ
0006852165.tif 000022
及びアンテナポートｐ別に１つのリソースグリッドが設定できる。
【００７３】
図４は、本明細書で提案する方法を適用できるアンテナポート及びヌメロロジ別のリソースグリッドの例を示す。
【００７４】
ヌメロロジ
0006852165.tif 000023
及びアンテナポートｐに対するリソースグリッドの各要素は、リソースエレメント（資源要素）（resource element）と称され、インデックス対
0006852165.tif 000024
により一意に（固有的に）（uniquely）識別される。ここで、
0006852165.tif 000025
は、周波数領域上のインデックスであり、
0006852165.tif 000026
は、サブフレーム内におけるシンボルの位置を示す。スロットにおけるリソースエレメントを示すときは、インデックス対
0006852165.tif 000027
が用いられる。ここで、
0006852165.tif 000028
である。
【００７５】
ヌメロロジ
0006852165.tif 000029
及びアンテナポートｐに対するリソースエレメント
0006852165.tif 000030
は、複素値（complex value）
0006852165.tif 000031
に該当する。混同（confusion）される危険がない場合、又は、特定のアンテナポート若しくはヌメロロジが特定されない場合は、インデックスｐ及び
0006852165.tif 000032
は、ドロップ（drop）されることができ、その結果、複素値は、
0006852165.tif 000033
又は
0006852165.tif 000034
になることができる。
【００７６】
また、物理リソースブロック（physical resource block）は、周波数領域上の
0006852165.tif 000035
個の連続するサブキャリアとして定義される。周波数領域上で、物理リソースブロックは、０から
0006852165.tif 000036
までの番号が付けられる。このとき、周波数領域上の物理リソースブロック番号（physical resource block number）
0006852165.tif 000037
とリソースエレメント
0006852165.tif 000038
との関係は、数式１のように与えられる。
【００７７】
＜数式１＞
【数１】
0006852165.tif 000039
【００７８】
また、キャリアパート（carrier part）に関連して、端末は、リソースグリッドのサブセット（subset）のみを利用して受信又は伝送するように設定されることができる。このとき、端末が受信又は伝送するように設定されたリソースブロックのセット（集合）（set）は、周波数領域上で０から
0006852165.tif 000040
までの番号が付けられる。
【００７９】
自己完結型（Self-contained）構造
【００８０】
ＮＲシステムにおいて考慮されるＴＤＤ（Time Division Duplexing）構造は、アップリンク（UpLink：ＵＬ）とダウンリンク（DownLink：ＤＬ）とを１つのスロット（又は、サブフレーム）において全て処理する構造である。これは、ＴＤＤシステムにおいてデータ転送の遅延（latency）を最小にするためのものであり、上記構造は、自己完結型構造又は自己完結型スロットと称される。
【００８１】
図５は、本明細書で提案する方法が適用できる自己完結型構造の一例を示す。図５は、単に説明の便宜のためのものに過ぎず、本発明の範囲を制限するものではない。
【００８２】
図５に示すように、レガシＬＴＤ（legacy LTE）の場合のように、１つの伝送単位（例えば、スロット、サブフレーム）が１４個のＯＦＤＭ（Orthogonal Frequency Division Multiplexing）シンボルから構成される場合が仮定される。
【００８３】
図５において、領域５０２は、ダウンリンク制御領域（downlink control region）を意味し、領域５０４は、アップリンク制御領域（uplink control region）を意味する。また、領域５０２及び領域５０４以外の領域（すなわち、別途の表示がない領域）は、ダウンリンクデータ（downlink data）又はアップリンクデータの伝送のために利用できる。
【００８４】
すなわち、アップリンク制御情報及びダウンリンク制御情報は、１つの自己完結型スロットで伝送できる。それに対して、データの場合、アップリンクデータ又はダウンリンクデータが１つの自己完結型スロットで伝送できる。
【００８５】
図５に示す構造を用いる場合、１つの自己完結型スロット内において、ダウンリンク伝送とアップリンク伝送とが順次行われ、ダウンリンクデータの送信及びアップリンクＡＣＫ／ＮＡＣＫの受信が実行できる。
【００８６】
結果的に、データ伝送のエラーが発生する場合、データの再伝送までかかる時間を減少させることができる。これにより、データの伝達に関連する遅延を最小にすることができる。
【００８７】
図５のような自己完結型スロット構造において、基地局（ｅＮｏｄｅＢ、ｅＮＢ、ｇＮＢ）及び／又は端末（terminal, User Equipment（ＵＥ））が伝送モードから受信モードに転換する（切り替わる）（switching）過程又は受信モードから伝送モードに転換する過程のための時間ギャップ（time gap）が要求される。上記時間ギャップに関連して、上記自己完結型スロットでダウンリンク伝送以後にアップリンク伝送が行われる場合、一部のＯＦＤＭシンボルがガード区間（Guard Period：ＧＰ）に設定される。
【００８８】
アナログビームフォーミング（analog beamforming）
【００８９】
ミリ波（mmWave：ｍｍＷ）通信システムにおいては、信号の波長（wavelength）が短くなるにつれて、同一面積に多数の（又は、多重の）アンテナを設置できる。例えば、３０ＣＨｚ帯域において、波長は約１ｃｍ程度であり、２次元（2-dimension）配列形態によって５ｃｍ×５ｃｍのパネル（panel）に０．５ラムダ（lambda）間隔でアンテナを設置する場合、合計１００個のアンテナエレメント（要素）（elements）が設置できる。
【００９０】
したがって、ｍｍＷ通信システムにおいては、多数のアンテナエレメントを用いてビームフォーミング（BeamForming：ＢＦ）の利得を高めることによりカバレッジ（coverage）を増加させるか、処理量（スループット）（throughput）を高める方式（法案）を考慮することができる。
【００９１】
このとき、アンテナエレメント別に送信電力（転送パワー）（transmission power）及び位相（phase）の調節が可能となるようにＴＸＲＵ（Transceiver Unit）が設置される場合、周波数リソース（frequency resource）別に独立したビームフォーミングが可能となる。
【００９２】
ただし、すべてのアンテナエレメント（例えば、１００個のアンテナエレメント）にＴＸＲＵを設置する方式は、価格の面で実効性が低下する可能性がある。これにより、１つのＴＸＲＵに多数のアンテナエレメントをマッピングし、アナログ位相シフタ（analog phase shifter）を利用してビーム（beam）の方向（direction）を制御する方式を考慮することができる。
【００９３】
前述したようなアナログビームフォーミング方式は、全帯域において１つのビーム方向のみを生成できるため、周波数選択的なビーム動作を実行できないという問題が発生する。
【００９４】
これにより、デジタルビームフォーミング（digital beamforming）とアナログビームフォーミングとの中間形態で、Ｑ個のアンテナエレメントより少ない数であるＢ個のＴＸＲＵを有するハイブリッドビームフォーミング（hybrid beamforming）を考慮することができる。この場合、上記Ｂ個のＴＸＲＵとＱ個のアンテナエレメントとの接続（連結）（connection）方式によって違いはあるが、同時に信号を伝送できるビームの方向は、Ｂ個以下に制限することができる。
【００９５】
ＮＲシステムにおいては、サービス分野（すなわち、応用分野）又はトラフィック（traffic）のタイプによって、端末がアップリンク伝送を行うときにグラント（例えば、アップリンクグラント（UL grant））を受信せずにアップリンク伝送を行う方法を考慮することができる。この場合、端末は、半持続的（semi-persistent）に設定されたリソースを通じてアップリンク伝送を行うことができる。
【００９６】
このような伝送方式は、グラントフリー（grant-free）伝送方式と称される。ここで、グラントフリー伝送方式は、上位層シグナリングなどを通じてリソース割り当てなどの設定情報が伝送される点から見て、設定されたグラント（configured-grant）伝送方式と称される。
【００９７】
すなわち、本明細書で言及されるグラントフリー伝送方式は、端末が基地局からグラント（例えば、UL grant）を受信せずに（すなわち、グラントなしで）アップリンク伝送を行う方式を意味することができる。すなわち、グラントフリー伝送方式は、基地局による動的スケジューリング（dynamic scheduling）ではなく、準静的スケジューリング（semi-static scheduling）に基づいて、端末がアップリンク伝送を行う方式を意味することができる。この場合、端末にアップリンク伝送のためのリソースが予め設定されることができ、該当端末は、設定されたリソースに対してグラントが存在すると仮定してアップリンク伝送を行うことができる。
【００９８】
これとは異なり、端末が基地局から受信されるグラントに基づいてアップリンク伝送を行う方式は、グラントベース（grant-based）伝送方式と称される。また、グラントベース伝送方式は、動的スケジューリングによるアップリンク伝送であることから見て、ＤＣＩによりスケジューリングされたアップリンク伝送（例えば、ＰＵＳＣＨ伝送）と称される。
【００９９】
グラントフリー伝送方式の場合、相異なる端末がコンテンションベース（contention-based）で共有する無線リソース又は端末専用（独立的）に（dedicated）割り当てられた無線リソースが利用されることができる。
【０１００】
ＮＲシステムにおいては、このようなグラントフリー伝送方式で用いられる無線リソースに対して、アップリンクグラントにより割り当てられる（すなわち、グラントベース伝送方式）無線リソースと相異なる変調及び／又は符号化方式を適用する方法を考慮することができる。また、グラントフリー伝送方式とグラントベース伝送方式との間で相異なるトランスポート（伝送）ブロックサイズ（Transport Block Size：ＴＢＳ）及び／又は相異なる伝送時間間隔（Transmission Time Interval：ＴＴＩ）を適用する方法も考慮することができる。
【０１０１】
また、端末にはグラントフリー伝送方式のために１つ又は複数の無線リソースが割り当てられ、グラントフリー伝送方式に用いられる複数の無線リソースは、サイズ、変調及び符号化方式、時間／周波数スケジューリング単位などが互いに同一か又は異なるように（又は、重畳されるように）設定されることができる。さらに、このようなグラントフリー伝送の成功率を向上させるために、同一のデータ（又は、トラフィック）に対する伝送を端末が繰り返して試みるように設定する方法も考慮することができる。
【０１０２】
前述したように、ＮＲシステムにおいては、端末が基地局のスケジューリング（特に、動的スケジューリング）なしでアップリンク伝送を行うグラントフリー伝送方式を考慮することができる。このようなアップリンク伝送の場合、一般に効率的なリソース使用のために複数の端末が共有するリソースプール（resource pool）をコンテンションベースで用いる方法を考慮することができる。
【０１０３】
既存のＬＴＥシステムにおけるアップリンクグラント（UL grant）のように、端末がアップリンク伝送を行うために必要な（又は、役に立つ）情報は、基地局の動的アップリンクスケジューリングメッセージに含まれることができる。したがって、端末が基地局のスケジューリングなしで（すなわち、グラントフリー伝送方式で）アップリンク伝送を行うためには、該当端末は、既存の動的アップリンクスケジューリングメッセージに含まれた情報を既存とは異なる方式で取得する必要がある。
【０１０４】
このような点を考慮して、本明細書は、基地局の動的スケジューリング（例えば、アップリンクグラント）なしでアップリンク伝送を行う端末が基地局からアップリンク伝送に必要な情報を取得する方法と、該当方法で情報を取得した端末の動作と、を提案する。
【０１０５】
また、本明細書における無線リソース（又は、リソース）は、時間／周波数リソースだけでなく、拡散コード（spreading code）、スクランブルコード（scrambling code）、インターリーブパターン（interleaving pattern）、電力割り当て（power allocation）などの多元接続方式（multiple access scheme）によって互いに区別（区分）される（distinguished）リソースを意味することができる。また、本明細書におけるフィードバック（feedback）、ＡＣＫ又はＮＡＣＫは、単に受信したデータのデコーディング（decoding）結果に限定されるものではなく、成功したアップリンク伝送のために基地局が送る伝送に対する応答が含まれることもできる。
【０１０６】
さらに、本明細書で提案する方法では、アップリンクチャネル（又は、信号）とグラントフリー伝送方式又はグラントベース伝送方式のための無線リソースについて説明しているが、これらに限定されるものではない。すなわち、本明細書で提案する方法は、ダウンリンクチャネル（又は、信号）及び他の無線リソースに対しても拡張して適用できることは言うまでもない。
【０１０７】
以下で説明される実施形態は、前述したグラントフリー伝送方式をサポートするために端末が必要な情報を受信する方法に関する。このような実施形態は、説明の便宜のために区別されたものに過ぎず、ある実施形態の一部の構成や特徴は、他の実施形態に含まれることもでき、又は他の実施形態の対応する構成若しくは特徴と入れ替わる（交替される）こともできる。例えば、アップリンク繰り返し伝送に関連する実施形態（例えば、以下の第２実施形態）の構成とアップリンク伝送の波形（waveform）に関連する実施形態（例えば、以下の第４実施形態）の構成とを組み合わせる（が結合される）こともできる。
【０１０８】
第１実施形態：マルチ（多重）アンテナポート（multi-antenna ports）を用いる伝送モードに関する情報を取得する方法
【０１０９】
ＮＲシステムにおいて、効率的な伝送のために、グラントフリー伝送方式を用いるアップリンク伝送において複数のアンテナを用いる方法を考慮することができる。この場合、アップリンク伝送のために２つ以上のトランスポート（伝送）ブロック（transport block）が利用されることができる。
【０１１０】
まず、既存のＬＴＥシステムの場合、複数のアンテナを用いる端末のために、次のような情報がアップリンクグラント（以下、ＵＬグラント）に含まれることができる。
【０１１１】
−２つのトランスポートブロックのためのＭＣＳ（Modulation and Coding Scheme）及びＲＶ（Redundancy Version）
【０１１２】
−２つのトランスポートブロックのためのＮＤＩ（New Data Indicator）
【０１１３】
−プリコーディング情報（precoding information）及びレイヤ（layer）の数
【０１１４】
このとき、ＭＣＳ、ＲＶ及び／又はＮＤＩ情報に関して、端末は、１つのアンテナを用いる場合と同一のＭＣＳ、ＲＶ及びＮＤＩ情報を２回に分けて取得するか、１回で２つのトランスポートブロックに対するＭＣＳ、ＲＶ、及びＮＤＩ情報を取得するように設定できる。あるいは、２番目のトランスポートブロックに対して、１番目のトランスポートブロックのＭＣＳ、ＲＶ、及びＮＤＩ情報が再使用されることもできる。あるいは、１番目のトランスポートブロックのための情報に一定の値又は規則によりオフセットが適用された値が、２番目のトランスポートブロックのために利用されることもできる。あるいは、動的シグナリング（dynamic signaling）（例えば、ＤＣＩ）によりリソース及びＭＣＳなどが割り当てられる場合、端末は、２つのトランスポートブロックをスケジューリングできるＤＣＩが設定された場合にのみ、２つのトランスポートブロックを伝送するとみなし、それ以外の場合は、１つのトランスポートブロックのみを伝送すると仮定することができる。あるいは、グラントフリー伝送方式の場合は、単一のトランスポートブロックのみを用いるように設定する方法も考慮することができる。
【０１１５】
また、プリコーディング情報及びレイヤの数に関連して、当該情報は、端末が用いるレイヤの数と端末が伝送に用いるプリコーディング行列（precoding matrix）とに関する情報を含むことができる。このような情報は、端末のチャネル状況、端末のランク（rank）によって端末のアップリンク伝送の性能に影響を及ぼす。
【０１１６】
本明細書で提案するグラントフリー伝送方式を考慮すると、端末が前述した情報を取得するために、次のような方法（以下の方法１ないし４）を考慮することができる。
【０１１７】
方法１）
【０１１８】
まず、端末が基地局から上位層シグナリング（higher layer signaling）を通じて前述した情報を取得する方法を考慮することができる。
【０１１９】
この場合、当該情報は、端末が最後に送信したＳＲＳ（Sounding Reference Signal）、ＣＳＩ（Channel State Information）などに基づいて設定できる。あるいは、当該情報は、最も低いレイヤの数及び／又は用いられるＰＵＳＣＨリソースを共有する他の端末と異なるコードブックインデックスを用いると設定されることもできる。ここで、ＰＵＳＣＨリソースを共有することは、共通のＲＲＣ設定によりリソースが設定されることを意味することができる。
【０１２０】
方法２）
【０１２１】
また、端末がレイヤ１シグナリング（Layer 1（Ｌ１）シグナリング）を通じて前述した情報を取得する方法を考慮することができる。ここで、Ｌ１シグナリングは、物理層（physical layer）でのシグナリングを意味することができる。
【０１２２】
この場合、端末は、マルチ（多重）アンテナ（multi-antenna）ポート伝送モードを用いるために、Ｌ１シグナリング受信待機を選択することができる。Ｌ１シグナリングは、端末が既に当該情報を取得した後も、端末のＣＳＩ、ＳＲＳ、ＤＭＲＳ、ＰＵＳＣＨ伝送などの端末のアップリンク伝送により（又は、任意に）基地局により実行（又は、伝送）できる。
【０１２３】
方法３）
【０１２４】
また、端末が当該情報をあるダウンリンク伝送から導出するか、他のフィードバックなしで取得するように設定する方法を考慮することができる。
【０１２５】
ここで、ダウンリンク伝送及び／又はフィードバックは、基地局の上位層シグナリング、Ｌ１シグナリング参照信号、又は以前に行われたＰＤＳＣＨ受信に関する情報でありうる。例えば、端末は、開ループＭＩＭＯ方式（open-loop MIMO scheme）をグラントフリー伝送に用いるように設定される。
【０１２６】
方法４）
【０１２７】
また、ネットワークが、端末に、ＭＣＳ、レイヤの数、送信技法などが異なるように設定された複数のリソースセット（resource set）を送り（すなわち、設定し）、各リソースセット別に利用できる閾値（threshold）などを共に設定する方法を考慮することができる。例えば、ネットワークが、異なるＭＣＳが設定された複数のリソースセットを設定し、各リソースセットには選択できる閾値が共に設定されることができる。
【０１２８】
この場合、端末は、ＲＲＭ（Radio Resource Management）値、Ｌ１−ＲＳＲＰ（L1-Reference Signal Received Power）、又は閾値によって決定されるリソースセットを選択することができる。あるいは、端末の広帯域（wideband）ＣＱＩ（Channel Quality Indicator）値又はサブバンド（subband）ＣＱＩ値によって、リソースが選択されることもできる。ここで、当該広帯域ＣＱＩは、端末が伝送するリソースの帯域幅が広帯域であると仮定して測定されたものでありうる。
【０１２９】
端末が選択したリソースは、ＣＳＩフィードバックを通じてネットワークに伝送されるか、ＲＲＭ値の報告を通じてネットワークに伝送されるか、他のチャネルを通じてフィードバックされることができる。
【０１３０】
端末が選択したリソースに基づいて、ネットワークは、衝突可能性（collision probability）、グラントベース伝送方式でのリソース共有（resource sharing）などのリソース適応動作（resource adaptation operation）を行うことができる。
【０１３１】
前述したような閾値の例として、ＲＲＭ、Ｌ１−ＲＳＲＰ、広域ＣＱＩ、サブバンドＣＱＩなどを考慮することができる。あるいは、閾値設定のための別途の測定が行われることもできる。あるいは、閾値は、ＲＬＭ（Radio Link Measurement）結果などに基づくか、ＳＩＮＲ（Signal-to-Interference-plus-Noise Ratio）に基づくこともできる。あるいは、決定されたリソースセットでＭＣＳなどが動的に端末の測定により変わるものであり得、利用できるＭＣＳ及び／又はＴＢＳの値と測定の閾値とのセットが設定されることもできる。
【０１３２】
前述したような選択は、初期伝送（initial transmission）と再伝送（retransmission）とに対して異なるように適用されることもできる。異なるように選択される場合、該当伝送が同一のトランスポートブロックに関するものであることを示すために、同一のＨＡＲＱ識別子（HARQ ID）を用いるか、１つの端末の場合、各キャリア（carrier）当たりに１つのグラントフリーリソースのみが設定できると仮定することができる。これにより、異なるリソースとＭＣＳとを用いても同一のトランスポートブロックであることを仮定することができる。あるいは、初期伝送で選択されるＭＣＳ値が再伝送時に同一に適用されるか、又は、他のＭＣＳの再伝送リソースが別途に設定されることもできる。
【０１３３】
基地局は、上記方法１及び方法２により、端末が方法３又は方法４を用いるように設定することもできる。あるいは、端末は、方法３を用いる場合において、方法１及び方法２により取得された情報の一部を共に用いることができる。
【０１３４】
また、端末が方法３を用いる場合、方法１及び方法２により取得した情報が不十分である場合、並びに／又は端末が取得した情報が変更される必要があると判断する場合、該当の端末は、任意に取得した情報を変更できるように設定されることもできる。この場合、基地局は、端末が任意に情報を変更できる範囲を予め設定（又は、指定）することができ、該当の端末は、設定された領域でブラインドデコーディング（blind decoding）を行うことができる。あるいは、端末が任意に情報を変更すると、端末は、変更された情報を別途のアップリンク制御情報（Uplink Control information：ＵＣＩ）及び／又はインジケータ（indicator）を用いて伝達するように設定されることもできる。
【０１３５】
第２実施形態：繰り返し伝送（repetition transmission）に関する情報を取得する方法
【０１３６】
前述したように、伝送の成功率を向上させるために、同一のデータ（又は、トラフィック）に対する伝送を何回も繰り返して行う方法を考慮することができる。
【０１３７】
ただし、このような繰り返し伝送の場合、それぞれの伝送に対する基地局のスケジューリング又はそれぞれの伝送に対する端末の応答は、無線リソース及び電力の効率の面で好ましくない。このような点を参照して、繰り返し伝送に対して端末が初期伝送に用いた情報を再利用する方法を考慮することができる。
【０１３８】
ここで、次のような情報（又は、パラメータ（parameter）、情報要素（information element））をさらに考慮することができる。各情報は、端末固有（特定）（UE-specific）に設定されるか、グループ又はセル固有（特定）（group/cell-specific）に設定されることもできる。
【０１３９】
−繰り返し回数（number of repetitions）
【０１４０】
−繰り返し間のホッピングに関する方法及びインデックス
【０１４１】
ここで、繰り返し間のホッピングに関する方法及びインデックスに関する情報は、ホッピングパターン（hopping pattern）に関する情報を意味することもできる。
【０１４２】
本発明で提案するグラントフリー伝送方式を考慮すると、端末が前述した情報を取得するために、次のような方法（以下の方法１ないし３）を考慮することができる。
【０１４３】
方法１）
【０１４４】
まず、前述した情報に対して予め設定された値を用いる方法を考慮することができる。
【０１４５】
例えば、同一の無線アクセス技術（Radio Access Technology：ＲＡＴ）を用いる端末及び基地局は、グラントフリー伝送方式において、別途の設定（configuration）なしで決定された繰り返し回数及びホッピングパターンを用いるように設定できる。
【０１４６】
方法２）
【０１４７】
また、前述した情報は、上位層シグナリングを通じて設定されることもできる。
【０１４８】
すなわち、グラントフリー伝送方式を行うにおいて、端末は、上位層シグナリングを通じて基地局から繰り返し回数（すなわち、繰り返し伝送回数）及び／又はホッピングパターンに関する設定情報を受信することができる。ここで、このような繰り返し回数及び／又はホッピングパターンに関する設定情報は、グラントフリー伝送方式のためのものであり、グラントベース伝送方式のための設定情報とは別途に設定される。
【０１４９】
ここで、繰り返し回数を示す値は、「ｒｅｐｅｔｉｔｉｏｎ Ｋ」、「ｒｅｐＫ」と称する。また、繰り返し回数を示す値は、基地局が端末に対して繰り返し伝送を行うように設定するリソースの数を意味することもできる。この場合、端末は、上記繰り返し回数が示す値と同一であるか、より少ない数の繰り返し伝送を行うように設定される。
【０１５０】
このような上位層シグナリングによる繰り返し回数及び／又はホッピングパターンに関する設定情報の伝送は、繰り返し伝送の前又は後に行われることができる。
【０１５１】
方法３）
【０１５２】
また、前述した情報は、Ｌ１シグナリングを通じて動的に設定されることもできる。このようなＬ１シグナリングによる繰り返し回数及び／又はホッピングパターンに関する設定情報の伝送は、繰り返し伝送の前又は後だけでなく、繰り返し伝送の途中にも行われることもできる。
【０１５３】
端末は、前述した方法のうちの１つ又は複数の方法を用いて上記情報を取得することができる。例えば、方法１及び方法３を用いる場合、方法３により情報を取得できなかった端末は、方法１により取得した情報を用いることができる。あるいは、方法１ないし３を全て用いる場合、方法１又は方法２により取得した情報は、方法３により変更されることもできる。
【０１５４】
あるいは、複数の方法が複合的に用いられる場合、情報、すなわちパラメータ値の利用範囲を指定する方法も考慮することができる。例えば、方法３により設定されたパラメータ値は、すぐ次の伝送にのみ適用されるように設定される。あるいは、端末は、別途のタイマ（timer）又はカウンタ（counter）が満了するまで設定されたパラメータを用い、タイマ又はカウンタが満了すると、方法１又は方法２により割り当てられたパラメータの基本値を用いるように設定することもできる。
【０１５５】
ここで、前述した情報のうち繰り返し回数の設定に関連して、設定時点による端末の動作は、次の例のようでありうる。すなわち、端末が新しい繰り返し伝送回数に対する設定を受信する時点によって、現在又は以後の伝送を行う動作が変わることができる。
【０１５６】
例えば、伝送時点以前に繰り返し回数が設定される場合、端末は、該当の設定値を次の伝送に適用するように設定されることができる。
【０１５７】
他の例として、繰り返し伝送の途中に繰り返し回数（すなわち、新しい繰り返し回数Ｋ’）が設定される場合、端末は、現在の伝送を中断して該当設定値を次の伝送に適用するように設定される。
【０１５８】
さらに他の例として、繰り返し伝送の途中に繰り返し回数（すなわち、新しい繰り返し回数Ｋ’）が設定される場合、端末は、現在の伝送に新しい設定を適用せずに伝送を維持し、次の伝送から新しい設定を適用するように設定される。
【０１５９】
さらに他の例として、繰り返し伝送の途中に繰り返し回数（すなわち、新しい繰り返し回数Ｋ’）が設定される場合、端末は、Ｋ’値だけ追加的な（追加して）繰り返し伝送を行うように設定される。この後、端末は、次の伝送にＫ’値を続けて用いるか、以前に設定された繰り返し回数Ｋ値を再び用いることもできる。
【０１６０】
さらに他の例として、繰り返し伝送の途中に繰り返し回数（すなわち、新しい繰り返し回数Ｋ’）が設定される場合、端末は、該当の設定値と以前の値との比較により中断又は再伝送を開始するように設定される。具体的には、Ｋ’値が以前のＫ値より大きい場合、端末は、現在伝送中の繰り返し回数をＫ’まで延長するか、新しくＫ’だけの繰り返し伝送を行うことができる。これとは異なり、Ｋ’値がＫより小さい場合、端末は、現在の伝送を中断し、該当Ｋ’値を次の伝送に適用するように設定される。
【０１６１】
さらに他の例として、繰り返し伝送以後に繰り返し回数（すなわち、新しい繰り返し回数Ｋ’）が設定される場合、端末は、新しく設定されたＫ’値だけ追加的な繰り返し伝送を行うように設定されることができる。この後、端末は、次の伝送にＫ’値を続けて用いるか、以前に設定された繰り返し回数Ｋ値を再び用いることもできる。
【０１６２】
さらに他の例として、繰り返し伝送以後に繰り返し回数（すなわち、新しい繰り返し回数Ｋ’）が設定される場合、端末は、伝送時点以前に設定される場合と同一に動作することもできる。
【０１６３】
さらに他の例として、端末は、繰り返し回数に関する設定情報の伝送時点に関係なく伝送を中断し、該当設定値を次の伝送に適用するように設定される。ここで、次の伝送は、別途のシグナリングが来るまで行われない。
【０１６４】
前述した例の動作は、端末が受信した繰り返し回数の設定（repetition configuration）がどのシグナリングを通じて伝送されたかによって決定できる。例えば、伝送以後にＬ１シグナリングを通じて設定を受ける場合は、６番目の例の動作を用い、上位層シグナリングを通じて設定を受ける場合は、７番目の例の動作を用いるように設定することができる。また、同一のＬ１シグナリングでも該当のシグナリングが端末固有であるか、又は、セル、グループ若しくはリソース固有（特定）（group, or resource-specific）であるかによって、相異なる例の動作が選択されることもできる。
【０１６５】
また、前述した情報のうち繰り返しの間のホッピングに関する方法並びにインデックス情報若しくはグラントフリー伝送のためのリソース設定に関する情報が、繰り返し伝送の途中に動的シグナリング（例えば、ＤＣＩ）などを通じて伝送されることもできる。この場合、端末は、次のような３つの方法（以下の方法１ないし３）のいずれか１つによって動作することができる。
【０１６６】
方法１）
【０１６７】
端末は、現在伝送中のアップリンク伝送を中断（中止）する（stop）よう設定されることができる。あるいは、端末は、現在伝送中のアップリンク伝送に対して既存の設定を維持し、新しい設定は、次の伝送から適用するように（すなわち、新しい設定の適用を延期（postpone）するように）設定される。
【０１６８】
方法２）
【０１６９】
端末は、現在伝送中のアップリンク伝送を止めて（一時停止し）（halt）、シグナリングを通じて変更されたグラントフリーリソースで伝送を再開（resume）するよう設定される。ここで、変更されたグラントフリーリソースで伝送を再開するために、別途のＬ１シグナリングが要求されることもありうる。
【０１７０】
方法３）
【０１７１】
端末は、現在伝送中のアップリンク伝送を中断（中止）し、シグナリングを通じて変更されたグラントフリーリソースで新しく同一の伝送を再始動（再開始）（restart）するよう設定される。
【０１７２】
ここで、グラントベース伝送方式の場合も、繰り返し回数の設定は、グラントフリー伝送方式の場合のように上位層シグナリングを通じて設定できる。ここで、繰り返し回数の設定は、以下のような方式で設定できる。
【０１７３】
以下に言及されるスロットベースの伝送方式は、スロット構造（slot structure）によって伝送が行われる方式を意味し、非スロットベースの伝送方式は、スロット構造に関係なく伝送が行われる方式を意味することができる。また、スロットベースのスケジューリングは、スロット構造によってリソースなどをスケジューリングすることを意味し、非スロットベースのスケジューリングは、スロット構造に関係なくリソースなどをスケジューリングすることを意味することができる。
【０１７４】
−繰り返し回数の設定に関連して、各キャリア別に１つの値が設定されることができる。この場合、グラントベース伝送方式、グラントフリー伝送方式、スロットベースの伝送方式、及び非スロットベースの伝送方式に関係なく、各キャリアに対して同一の値が適用される。このような設定は、ＰＵＣＣＨ及び／又はＰＵＳＣＨで別途に設定され、ＵＣＩ無しのＰＵＳＣＨとＵＣＩ有りのＰＵＳＣＨとで別途に設定されることもできる。
【０１７５】
−繰り返し回数の設定に関連して、各キャリア別に、Ｔｙｐｅ １／２及びグラントベース伝送方式に対して別途に設定されることができる。ここで、スロットベースの伝送方式及び非スロットベースの伝送方式に関係なく、各キャリアに対して同一の値が適用される。このような設定は、ＰＵＣＣＨ及び／又はＰＵＳＣＨで別途に設定され、ＵＣＩ無しのＰＵＳＣＨ及びＵＣＩ有りのＰＵＳＣＨで別途に設定されることもできる。この場合、グラントフリー伝送方式による再伝送の場合は、グラントベース伝送方式の構成に従うか、グラントベース伝送方式の場合も再伝送がグラントフリー伝送方式である場合、グラントフリー伝送方式の繰り返し回数に従うと仮定することができる。
【０１７６】
−繰り返し回数の設定に関連して、各キャリア別に、Ｔｙｐｅ １／２及びグラントベース伝送方式に対して別途に設定されることができる。この場合、スロットベースの伝送方式と非スロットベースの伝送方式とに対して異なる値が設定されると仮定することができる。このような設定は、ＰＵＣＣＨ及び／又はＰＵＳＣＨで別途に設定され、ＵＣＩ無しのＰＵＳＣＨとＵＣＩ有りのＰＵＳＣＨとで別途に設定されることもできる。
【０１７７】
−各繰り返し伝送は、時間領域上のリソース設定で共に設定されることもできる。この場合、選択された時間領域上のリソースエントリ（resource entry）（例えば、上位層シグナリングを通じて設定された時間領域上のリソース割り当てテーブル（表）（table）におけるｒｏｗインデックス値）によって異なる繰り返し値が構成されることを意味する。これは、複数のＢＬＥＲ（Block Error Rate）を端末がサポートする場合に効率的でありうる。あるいは、時間領域上のリソース割り当てテーブルが各ＢＬＥＲ別に多数設定され、該当のテーブルをまず動的に選択し、選択されたテーブルでは、同一の繰り返し回数が適用されると仮定することができる。
【０１７８】
−スロットベースのスケジューリング方式に対して設定された場合、各繰り返し伝送は、時間領域上のリソース設定によって自動的に決定されるか、与えられた値のうちの１つとして選択される。例えば、スロットベースのスケジューリングに対して繰り返し回数Ｋが設定されたとき、非スロットベースのスケジューリングに対する繰り返し回数は、Ｋの分数（fraction）又は倍数（multiple）に設定される。他の例として、２つ以上の繰り返し伝送（繰り返し回数Ｋ１及びＫ２）が設定可能である場合、スロットベースのスケジューリングに対してはＫ１が設定され、非スロットベースのスケジューリングに対してはＫ２が設定される。
【０１７９】
また、端末の初期手順（initial procedure）に関するアップリンク伝送又はダウンリンク伝送にも前述したような繰り返し回数に関する設定が構成されることができる。
【０１８０】
例えば、Ｍｓｇ３も繰り返し伝送されることができ、端末のＲＳＳＩ又はＲＳＲＰ値によってこれに対する繰り返し回数値が異なるように設定される。選択されたＰＲＡＣＨフォーマット（PRACH format）によって繰り返し伝送（すなわち、繰り返し回数）が異なるように設定されることもできる。あるいは、各ＲＡＣＨリソース別に繰り返し回数が異なるように設定されることもできる。また、Ｍｓｇ４に対するＨＡＲＱフィードバックのためのＰＵＣＣＨの場合も、多重スロット（multiple slots）設定が可能である。ここで、多重スロット設定は、スロットの境界（boundary）に関係なく複数のスロットにわたってリソースなどをスケジューリングすることを意味することができる。このような値は、Ｍｓｇ３の再伝送値と連係して決定されるか、別途に設定されるか、動的に指示されることもできる。
【０１８１】
第３実施形態：セル／グループ／リソース固有シグナリングにおいて端末固有情報を取得する方法
【０１８２】
端末が伝送に用いる情報（又は、パラメータ）は、端末固有情報（又は、端末固有パラメータ）とセル／グループ／リソース固有情報（又は、セル／グループ／リソース固有パラメータ）とに区別することができる。また、このような情報を伝送するシグナリングも、端末固有シグナリングとセル／グループ／リソース固有シグナリングとに区別することができる。
【０１８３】
端末固有パラメータは、端末固有シグナリングを通じて伝送され、セル／グループ／リソース固有パラメータは、セル／グループ／リソース固有シグナリングを通じて伝送されることが優先的に考慮される。ここで、シグナリングオーバーヘッド（signaling overhead）を減らす側面で、セル／グループ／リソース固有パラメータを端末固有シグナリングを通じて伝達する方法を考慮することができる。
【０１８４】
このために、基地局は、それぞれの端末固有シグナリングで伝達されるメッセージに同一のセル／グループ／リソース固有パラメータを含めることができる。ただし、端末固有パラメータをセル／グループ／リソース固有パラメータを用いて伝達する場合、各端末は、同一の値から自体のパラメータ（すなわち、端末毎に異なるように設定されたパラメータ）を導出する過程が必要となる可能性がある。このとき、各パラメータ別に導出する方法は、異なるように設定されることができる。
【０１８５】
本実施形態において、「端末固有パラメータ又はシグナリング」と「セル／グループ／リソース固有パラメータ又はシグナリング」との区別を基準にする方法が説明されているが、これは「あるセル／グループ／リソース固有パラメータ又はシグナリング」と「これに対するサブセットパラメータ又はシグナリング」の場合にも同一に適用されることは言うまでもない。例えば、各グループの端末は、セル固有パラメータからグループ固有（特定）の（group-specific）情報を導出することができる。あるいは、端末グループが複数のリソース又はリソースセットを用いるとき、端末グループは、グループ固有シグナリングを通じてリソース固有パラメータを導出することができる。
【０１８６】
また、グラントフリー伝送方式を考慮するとき、各端末は、参照信号（reference signal）に対するパラメータ（以下、ＲＳパラメータ）などに対して相異なる値を有する必要がある。具体的には、グラントフリー伝送方式を考慮すると、アップリンクリソース、ＭＣＳなどの情報は、各端末がグループ固有に共有することができるが、ＲＳパラメータのような一部のパラメータに対しては、各端末が相異なる値を有するように設定されることができる。
【０１８７】
この場合、各端末は、グループ共通シグナリング（group-common signaling）などを通じてＲＳパラメータのシード値を取得し、自体が有する固有の値（例えば、端末識別子（ＵＥ−ＩＤ））などを用いてＲＳパラメータのインデックスを取得することもできる。このために、ＲＳパラメータに端末グループのサイズ（例えば、端末の数）を示す情報が含まれるか、グループ生成時に決定された端末グループのサイズがＲＳパラメータの取得時に用いられるように設定することもできる。
【０１８８】
第４実施形態：波形タイプに関する情報を取得する方法
【０１８９】
ＮＲシステムにおいては、端末が複数の波形タイプをサポートするように設定されるため、基地局のセル設定（cell configuration）、上位層シグナリング、及び／又は動的シグナリングなどのＬ１シグナリングを通じて、端末が伝送に用いる波形タイプを変更する（又は、用いる波形タイプを指示する）方法を考慮することができる。
【０１９０】
この場合、端末がグラントフリー伝送方式に基づいてアップリンク伝送を行う場合も、端末の能力（capability）又はグラントフリー伝送方式のために設定されたリソース（以下、グラントフリーリソース）の多重化（multiplexing）性能を考慮して、端末が用いる波形タイプが決定される。
【０１９１】
例えば、多重化のために、基地局は、端末に対してＤＦＴ−ｓ−ＯＦＤＭベースの波形タイプを用いるように設定することができる。ここで、ＤＦＴ−ｓ−ＯＦＤＭベースの波形タイプは、参照信号としてＺＣ（Zadoff-Chu）シーケンスを用いる波形タイプを意味することができる。また、ＤＦＴ−ｓ−ＯＦＤＭベースの波形タイプは、アップリンク伝送で変換プリコーディング（transform precoding）動作が適用される場合を意味することもできる。すなわち、変換プリコーダ（フリーコーダ）（transform precoder）が有効（可能、イネーブル）である（enable）ということは、該当の伝送に対してＤＦＴ−ｓ−ＯＦＤＭベースの波形タイプが用いられることを意味することができる。
【０１９２】
他の例として、柔軟性（flexibility）及びチャネルのためにＰＡＰＲ（Peak to Average Power Ratio）を監視（監修）し（supervised）、基地局は、端末に対してＣＰ−ＯＦＤＭベースの波形タイプを用いるように設定することもできる。ここで、ＣＰ−ＯＦＤＭベースの波形タイプは、参照信号としてＰＮ（Pseudo-random Noise）シーケンスを用いる波形タイプを意味することができる。また、ＣＰ−ＯＦＤＭベースの波形タイプは、アップリンク伝送で変換プリコーディング動作が適用されない場合を意味することもできる。すなわち、変換プリコーダ（変換フリーコーダ）が無効（不可能、ディセーブル）である（disable）ということは、該当の伝送に対してＣＰ−ＯＦＤＭベースの波形タイプが用いられることを意味することができる。
【０１９３】
あるいは、端末が伝送に用いる波形タイプを任意に決定する方法も考慮することができる。
【０１９４】
ここで、グラントフリー伝送方式を用いる端末は、伝送に用いる波形タイプを変更（又は、適用）するために、次の方法（以下の方法１ないし５）を考慮することができる。
【０１９５】
方法１）
【０１９６】
基地局が、上位層シグナリング（例えば、ＲＲＣシグナリング）を通じて、端末が用いる波形タイプを決定する方法を考慮することができる。すなわち、基地局が、上位層シグナリングを通じて、アップリンク伝送に用いる波形タイプを示す情報が含まれた設定情報を端末に伝達するように設定される。
【０１９７】
この場合、上位層シグナリングを通じて伝送される設定情報には、波形タイプを明示的に示す情報が含まれるか、又は波形タイプを暗示的に示す情報が含まれることができる。前述したように、波形タイプを暗示的に示す情報は、変換プリコーダの適用可能又は適用不可能を示す情報に該当する。
【０１９８】
また、このような設定情報は、グラントベース伝送方式のためのものとは別途に、グラントフリー伝送方式のために設定できる。さらに、前述した上位層シグナリングは、端末がグラントフリーリソースの設定（又は、割り当て）を受けると同時に行われるか、又はグラントフリーリソースとは別のシグナリングを通じて変更されることもできる。
【０１９９】
方法２）
【０２００】
基地局が、Ｌ１シグナリングを通じて端末が用いる波形タイプを決定する方法も考慮することができる。
【０２０１】
例えば、端末がＬ１シグナリングを通じてグラントフリーリソースの割り当てを受ける場合、該当のＬ１シグナリングに波形タイプを示すインジケータが含まれることができる。あるいは、グラントフリー伝送方式のように端末がＬ１シグナリングを通じてリソースの割り当てを受けない場合も、端末が試みたグラントフリー伝送が基地局によりグラントベース伝送に転換されるとき、Ｌ１シグナリングを通じて波形タイプが変更されることができる。あるいは、端末のグラントフリー伝送がグラントベース伝送に転換されなくても、Ｌ１シグナリングによるフィードバックで端末のグラントフリー伝送方式に従う繰り返し伝送を制御する場合、次の繰り返し伝送又はグラントフリー伝送の波形タイプが変更されることができる。
【０２０２】
方法３）
【０２０３】
また、セル設定を通じて端末が用いる波形タイプが決定されることもできる。ここで、セル設定のための情報（又は、パラメータ）に明示的に端末が用いる波形タイプを示すパラメータが含まれることができる。あるいは、セル設定ではある閾値のみを伝達し、端末が有するパラメータ（例えば、端末能力情報、時間的に動的な情報など）に基づいて端末が用いる波形タイプが決定されることもできる。この場合、端末は、各波形タイプに関連付けられたグラントフリーリソースの割り当てを受けるように設定されることができる。
【０２０４】
方法４）
【０２０５】
端末がグラントベース伝送方式に伴うアップリンク伝送とグラントフリー伝送方式に伴うアップリンク伝送とを共に用いる場合、グラントフリー伝送方式の波形タイプは、グラントベース伝送方式の波形タイプを用いるように設定されることができる。あるいは、逆に、グラントフリー伝送方式で決定された波形タイプがグラントベース伝送方式にも同一に適用されることもできる。
【０２０６】
この場合、端末がグラントフリー伝送方式及びグラントベース伝送方式を両方ともサポートすると、グラントフリー伝送方式の再伝送に対するグラントベース伝送方式のアップリンク伝送を行う場合と初期伝送をグラントベース伝送方式で行う場合とで相異なる波形タイプが用いられるように設定されることができる。ここで、１つのスロット又は１つの時点で２つの伝送が重畳（overlap）される可能性があり、波形タイプが異なる場合、端末は、自体の能力と関係なく同時に２つの伝送を実行できないと仮定することもできる。
【０２０７】
また、前述した波形タイプに対する変更方法は、グラントフリー伝送方式又はグラントベース伝送方式に関係なく同一の方法で行われることもできる。
【０２０８】
方法５）
【０２０９】
また、波形タイプは、準静的（semi-static）に設定できるが、端末のスケジューリング単位又はＣＯＲＥＳＥＴ（Control Resource Set）のモニタ周期などによって異なるように設定されることもできる。
【０２１０】
例えば、ミニスロット（mini-slot）ベースの伝送の場合にＳＣ−ＯＦＤＭが用いられると仮定し、スロットベースの伝送の場合はＯＦＤＭが用いられると仮定することができる。ここで、異なる波形タイプに該当する２つのチャネルが重畳されると、端末は、少なくとも１つのキャリア内の同時伝送を仮定しないことができる。
【０２１１】
波形タイプが異なるように設定された場合（又は、同一に設定された場合も）、ＱｏＳ（Quality of Service）／ＢＬＥＲターゲットなどによって異なる電力制御パラメータ及び再伝送カウンタ、再伝送動作、ＨＡＲＱプロセスなどを別途に設定して運用する方法も考慮することができる。
【０２１２】
前述した方法１又は方法２のように、波形タイプの設定がリソース割り当てと同時に行われる場合、波形タイプに関する指示は、別途のパラメータ及び／又は情報なしでリソース割り当ての形態によって暗示的に決定されることもできる。
【０２１３】
例えば、端末に連続するリソースが割り当てられることは、ＤＦＴ−ｓ−ＯＦＤＭベースの波形タイプを利用せよということを意味し、不連続なリソースが割り当てられることは、ＣＰ−ＯＦＤＭベースの波形タイプを利用せよということを意味することができる。ここで、不連続なリソースが割り当てられることは、ビットマップ形態でリソースが割り当てられることを意味することができる。
【０２１４】
これと同様に、リソース割り当て方式によって波形タイプが決定されることもできる。例えば、ＲＡタイプ０方式でリソースが割り当てられる場合、端末は、ＣＰ−ＯＦＤＭを利用し、ＲＡタイプ２方式でリソースが割り当てられる場合、端末は、ＤＦＴ−ｓ−ＯＦＤＭを利用するように設定される。
【０２１５】
あるいは、スケジューリングＤＣＩそれ自体で波形タイプが決定されることもできる。例えば、スケジューリングＤＣＩが異なるビットサイズの複数のフォーマットのうちの１つを通じて伝達される場合、該当のＤＣＩのフォーマットは、端末が用いる波形タイプに関連付けられるものでありうる。
【０２１６】
また、端末が用いる波形タイプによって伝送に用いられるパラメータが異なるように設定されることができる。あるいは、パラメータが同一に設定されても、波形タイプによって値の範囲などが異なるように設定されることもできる。
【０２１７】
しかしながら、このために波形タイプ別にシグナリングを設計することは、端末動作の複雑度（complexity）を高めるようになり、不要なデコーディングの試み（decoding trial）を発生させる可能性がある。
【０２１８】
このような点を考慮して、端末が用いる波形タイプによって、基地局により伝送された同一値に対する解釈（解析）（interpretation）が次の方法（以下の方法１ないし３）のように変わることができる。
【０２１９】
方法１）
【０２２０】
波形タイプが相異なる場合、ＤＭＲＳ関連パラメータが異なるように解釈されることができる。例えば、端末は、同一値のＤＭＲＳパラメータを、ＣＰ−ＯＦＤＭの場合、ＰＮシーケンスシードテーブルのインデックス（PN sequence seed table index）と解釈し、ＤＦＴ−ｓ−ＯＦＤＭの場合、巡回シフト及びＯＣＣテーブルのインデックス（cyclic shift and OCC table index）と解釈することができる。
【０２２１】
方法２）
【０２２２】
波形タイプが相異なる場合、ＲＡタイプインジケータ（Resource Allocation type indicator）なしでＲＡビットが異なって解釈されることができる。例えば、端末は、ＲＡタイプインジケータフィールドがないＤＦＴ−ｓ−ＯＦＤＭの場合、ＲＡビットをＲＡタイプ２と仮定して解釈することができる。あるいは、ＲＡタイプインジケータが存在しても、これを無視して予め指定された（又は、設定された）Ｒａビット解釈方法が適用されることもできる。
【０２２３】
方法３）
【０２２４】
波形タイプ間で電力制御方法が独立して設定される場合、又は、Ｑｏｓ／ＢＬＥＲターゲットによって電力制御パラメータが独立して設定されて維持される場合、電力制御フィールドは、異なって解釈される。
【０２２５】
前述した方法は、基地局が伝送したシグナリングのタイプ（例えば、上位層シグナリング、Ｌ１シグナリングなど）の区別に関係なく適用できる。
【０２２６】
第５実施形態：グループベースの電力制御シグナリングを行う方法
【０２２７】
ＮＲシステムにおいては、端末が散発的な（sporadic）トラフィックのためにグラントフリー伝送方式を用いる場合、複数の端末が１つのリソースを共有する方法が考慮されている。ここで、多重化性能のために、各端末の送信電力（Tx power）を基地局が制御することが重要でありうる。
【０２２８】
既存のシステム（例えば、ＬＴＥシステム）においては、複数の端末が送信電力を少ない制御オーバーヘッド（control overhead）で制御するために、ＴＰＣグループ及びＴＰＣ−ＲＮＴＩを用いる方法が用いられた。しかしながら、散発的なトラフィックを考慮する場合、オーバーヘッドが少ない適切なＴＰＣグループを設定することが困難でありうる。
【０２２９】
例えば、８つの端末が利用することのできる４つのグラントフリーリソースに対して、３２ビットのＴＰＣビットが割り当てられる場合、３２個の端末のうち実際にアップリンク伝送を行う端末は、非常に少ないことがある。また、グラントフリー伝送が別途の事前信号（prior signal）なしで直ちにアップリンク伝送を行う点を考慮すると、基地局は、端末のアップリンク伝送以後に送信電力を制御する端末の候補を決定することができることもある。
【０２３０】
このようなＴＰＣ伝送は、ＨＡＲＱ−ＲＴＴ（HARQ-Round Trip Time）より小さければ端末が次の繰り返し伝送又は再伝送でこれを反映することができる。このために、基地局と端末との間の別途のシグナリングなしで、基地局が動的に送信電力制御を必要とする端末のＴＰＣビットを１つのメッセージで伝達し、伝送を試みた端末は、伝達されたもののうち自体のビットを受信する方法が考慮される必要がある。
【０２３１】
具体的には、基地局が、Ｎ個の端末からなるスーパーセット（superset）（例えば、グラントフリーリソースで設定された端末）において、Ｍ個のＴＰＣ伝送が要求される端末（例えば、グラントフリーリソースでデータを伝送する端末）のみをＬ１シグナリングを通じて示す方法を考慮することができる。該当の方法で、端末は、予め設定された条件（例えば、データ伝送を行うか否かなど）により恣意的に該当Ｌ１シグナリングをモニタリングしないか、行わないこともできる。
【０２３２】
ここで、Ｌ１シグナリングにＴＰＣビットを伝送するために、次のような方法（以下の方法１ないし６）を考慮することができる。
【０２３３】
方法１）
【０２３４】
ＴＰＣコマンド（命令）（TPC command）をＨＡＲＱ−ＡＣＫフィードバックと関連付けて伝送する方法を考慮することができる。この場合、ＴＰＣコマンドは、ＨＡＲＱ−ＡＣＫを受信する必要がある端末（例えば、伝送を開始した端末）にのみ限定されることを仮定することができる。これは、ＨＡＲＱ−ＡＣＫの伝送時、ＨＡＲＱ−ＡＣＫの伝送を行う端末にＴＰＣコマンドを共に伝送することでありうる。このために、端末がＨＡＲＱ−ＡＣＫの伝送に対するビット数を仮定し、各該当ビットに対するＴＰＣコマンドを連続して伝送する方法を考慮することができる。全体のビット数が制限されていると仮定することができるので、伝送されるＴＰＣの数は、ＨＡＲＱ−ＡＣＫの伝送数より少なく設定されることもできる。
【０２３５】
方法２）
【０２３６】
スーパーセット（例えば、グラントフリーリソースで設定されたＮ個の端末）内の全ての端末に対してＴＰＣビットを伝送するが、ＴＰＣ伝送が必要なＭ個の端末以外の端末に対しては、任意の値を割り当てるか、特定値を示すビットを割り当てる方法を考慮することができる。例えば、特定値を示すビットは、「ＨＯＬＤ」又は「ＮＯ ＣＯＮＴＲＯＬ」を示すビットでありうる。
【０２３７】
該当の方法は、全てのＮ個の端末のためのＴＰＣビットマップ形態の情報を伝達する方法を意味することができる。
【０２３８】
方法３）
【０２３９】
Ｍ個の端末のそれぞれを示すＭ個のインデックス及び各端末に関連付けられたＭ個のＴＰＣビットを伝送する方法を考慮することができる。該当方法は、ＴＰＣ伝送が要求されるＭ個の端末のそれぞれに対するＴＰＣビットマップ情報及びインデックスを伝達する方法を意味することができる。
【０２４０】
方法４）
【０２４１】
Ｍ個の端末に対するＴＰＣから構成されたビットマップとスーパーセットにおけるＭ個の端末のインデックスとを示す方法も考慮することができる。例えば、８つの端末から構成されたスーパーセットにおいて端末インデックス１、２、及び５に該当する端末に対してＴ１、Ｔ２及びＴ３のＴＰＣビットの伝送が必要である場合を仮定する。この場合、基地局は、［０１１０１０００］などの情報を用いてスーパーセットにおける位置（すなわち、端末のインデックス位置）を示し、［Ｔ１ Ｔ２ Ｔ３］から構成されたＴＰＣビットマップを共に端末に伝送することができる。
【０２４２】
このとき、サイズＮのスーパーセットにおける位置を示すためにサイズＮのビットマップを用いる方法を考慮することができる。
【０２４３】
あるいは、サイズＮのスーパーセットにおける位置を示すために、インデックスをＫ個ずつグループ化して設定したサイズＮ／Ｋのビットマップを用いる方法を考慮することもできる。例えば、８つの端末から構成されたスーパーセットで端末インデックス１、２、及び５に該当する端末にＴ１、Ｔ２及びＴ３のＴＰＣビットの伝送が必要である場合を仮定する。この場合、基地局は、端末を２つずつグループ化して［１１１０］などの情報でスーパーセットにおける位置を示し、［Ｘ Ｔ１ Ｔ２ Ｘ Ｘ Ｔ３］から構成されたＴＰＣビットマップを共に端末に伝送することができる。このとき、Ｘは、任意の値に設定されるか、特定値を示すビット（例えば、「ＨＯＬＤ」又は「ＮＯ ＣＯＮＴＲＯＬ」を示すビット）に設定されることもできる。
【０２４４】
あるいは、サイズＮのスーパーセットにおける位置を示すために、スタート及びエンドを示す値を用いる方法も考慮することができる。例えば、既存のシステム（例えば、ＬＴＥシステム）のＲＡタイプ２のような方式を用いて、Ｍ個の端末が位置するインデックスのスタート及びエンドを示し、該当領域でのＴＰＣビットを示す方法を考慮することができる。
【０２４５】
方法５）
【０２４６】
ＴＰＣインデックスが端末に設定されたリソースと暗示的にマッピングされていると仮定する方法も考慮することができる。例えば、ｎ番目のスロット（slot #n）で伝送されるＴＰＣは、設定されたリソースがｎ＋ｋ番目のスロット（slot #n+k）にある端末に対してのみ適用されると仮定することができる。ここで、各ＴＰＣインデックスは、リソースにより決定されるか、又は各端末別及び／若しくはリソース別に設定される値に従うように設定されることができる。
【０２４７】
また、このような「ｋ」値は、各端末別及び／又はリソース別に異なるように設定されることができる。「ｋ」値が各端末別及び／又はリソース別に異なるように設定される場合、端末は、これが上位層シグナリングに基づいて設定できると仮定する。したがって、特定スロット（例えば、Ｉ番目のスロット）にリソースがある場合、端末は、特定スロットに対して「ｋ」に該当するスロットオフセット（slot offset）が適用されたスロット（例えば、Ｉ−ｋ番目のスロット）でのみＴＰＣをモニタリングするように設定されることができる。
【０２４８】
方法６）
【０２４９】
グラントフリーリソースの周期が短い場合、前述した方法５の動作は、複数の端末が同時にＴＰＣをモニタリングするように設定することができる。したがって、ＴＰＣが伝送される周期がリソースの周期とは別に設定される方法も考慮することができる。
【０２５０】
すなわち、ＴＰＣをモニタリングする周期及びオフセットが各端末別に設定されることができ、端末は、各キャリア、セル又はリソース別に各モニタを行うインデックスの設定を受けることができる。このようなＴＰＣが適用されるタイミング（時点）（timing）ｋは、グラントにより与えられるＰＵＳＣＨ伝送の処理時間（processing time）と同一であると仮定することができる。
【０２５１】
ＴＰＣの場合、ＳＣｅｌｌ（Secondary Cell）に構成されているタイプ１又はタイプ２の場合も伝送されることができ、これは、クロスキャリア（cross-carrier）又はセルフキャリア（self-carrier）で伝送されることができる。２つのケースの全てに対して前述した方法５で提案した方法が適用される場合、タイミングは、タイプ１若しくはタイプ２のリソースが構成されたセルのヌメロロジ並びに／又は活性化したＢＷＰ（BandWidth Part）のヌメロロジに従うことができる。
【０２５２】
また、グラントフリー伝送方式を用いる端末が１つのメッセージでＴＰＣビットを受信するために、ＮＲシステムにおいて考慮されるグループ共通ＤＣＩ（group-common DCI）を用いる方法を考慮することができる。ここで、端末がグループ共通ＤＣＩを通じてＨＡＲＱ−ＡＣＫを受信できる場合、端末は、ＨＡＲＱ−ＡＣＫとＴＰＣビットとを同時に１つのシグナリングを通じて受信することができる。
【０２５３】
したがって、ＴＰＣビットとＨＡＲＱ−ＡＣＫとは、共通の端末インデックスにより表現される。あるいは、端末インデックスにＨＡＲＱ−ＡＣＫ情報が追加的に活用されることもできる。例えば、端末インデックスに該当する端末のうちＨＡＲＱ−ＡＣＫがＡＣＫ／ＤＴＸでない端末に対してのみ、基地局がＴＰＣビットを伝送するように設定されることができる。ＨＡＲＱ−ＡＣＫとＴＰＣビットとが別途のシグナリングを通じて伝達されても、端末がＨＡＲＱ−ＡＣＫ情報から現在伝送を試みた端末の数（Ｍ）とこれらの端末のうちの自体のインデックス（ｍ）とを把握できると、ＴＰＣは、単にＭ個のＴＰＣビットでのみ伝達されることもできる。
【０２５４】
また、端末がグラントフリー伝送方式のアップリンク伝送とグラントベース伝送方式のアップリンク伝送とを同時にサポートする場合、多様なアップリンク伝送方式を用いる場合、複数のグラントフリーリソースが割り当てられた場合、及び／又は複数の波形タイプをサポートする場合、状況に応じて異なる送信電力値が用いられることもできる。この場合、相異なるアップリンク伝送方式、リソース、及び／又は波形タイプ毎に異なるＴＰＣグループが設定されることもできる。
【０２５５】
また、グループ共通ＤＣＩを通じてＴＰＣを伝達するとき、ＴＰＣ値として以前の値と比較したオフセット（offset）や絶対値（absolute value）を伝達する代わりに、基地局は、各リソース別に開ループ電力制御（open-loop power control）に用いられるオフセット又はターゲット受信電力を伝達することもできる。あるいは、このような値は、端末別に伝達されることもできる。これは、端末間の多重化などを効果的に行うか、各端末のターゲット電力を調整するために端末が開ループ電力制御を行うとき、該当電力制御に用いられるパラメータを調整するためのことでありうる。
【０２５６】
このような設定（又は、シグナリング）は、ＭＡＣ−ＣＥ（Medium Access Control-Control Element）などを通じて伝送されるか、グループ共通ＤＣＩの形態で伝送される。ここで、端末固有のＲＲＣシグナリングが用いられることもできるが、電力を動的に調整するために動的シグナリングが考慮されることができる。
【０２５７】
また、これは、リソースプールなどを複数の端末が共有するとき、端末を複数のグループにグループ化して各グループが用いるオフセットやパラメータを設定することにも用いられることができる。この場合、リソースプール別及び／又は各グループ別電力パラメータが端末グループ共通（UE-group common）であるように伝送される必要がある。
【０２５８】
第６実施形態：端末に割り当てられた複数のリソース（multiple resources）に関する情報を取得する方法
【０２５９】
端末が基地局からグラントフリーリソースの割り当てを受けるとき、トラフィック、繰り返し伝送、及び／又は衝突を予防するためのホッピングなどのために複数のグラントフリーリソースの割り当てを受ける場合が要求される。すなわち、端末は、基地局からグラントフリー伝送を行う複数のリソースの設定を受けることができる。
【０２６０】
このとき、端末に割り当てられたグラントフリーリソースのそれぞれを制御するために、グラントフリーリソースインデックスを設定する方法を考慮することができる。ここで、インデックスの範囲は、端末に割り当てできる最大グラントフリーリソースのサイズによって決定される。基地局は、端末にグラントフリーリソースを割り当てる場合、該当リソースのインデックスを共に通知するように設定される。
【０２６１】
端末に割り当てたグラントフリーリソースを活性化（activation）、非活性化（deactivation）、変更（modification）、又は解放（解除）（release）するために、基地局は、上位層シグナリング又はＬ１シグナリングを用いることができる。
【０２６２】
基地局が上位層シグナリングを通じて上記動作を行う場合、各リソースのインデックスを示して特定のインデックスの状態を変更することができる。特に、活性化、非活性化、変更、又は解放などを示すメッセージに関して、基地局は、リソースインデックスのセット（set）（又は、束）を示す特定値又はビットマップを用いて、複数のグラントフリーリソースを同時に活性化、非活性化、変更、又は解放することもできる。
【０２６３】
これとは異なり、基地局がＬ１シグナリングを通じて端末に設定されるグラントフリーリソースを制御する場合、次のような方法（以下の方法１ないし２）が利用できる。
【０２６４】
方法１）
【０２６５】
Ｌ１シグナリングにリソースインデックス（すなわち、グラントフリーリソースインデックス）を示すフィールドを含める方法を考慮することができる。例えば、ＤＣＩにグラントフリーリソースインデックスを示すフィールドが構成されることができる。該当方法の場合、前述した上位層シグナリングと類似した方法が利用できる。
【０２６６】
方法２）
【０２６７】
Ｌ１シグナリングのＣＲＣスクランブル（Cyclic Redundancy Check（CRC） scrambling）をリソースインデックスによって異なるように設定する方法も考慮することができる。
【０２６８】
この場合、Ｌ１シグナリングで複数のグラントフリーリソースのための別途のフィールドが要求されないこともある。グラントフリーリソースを割り当てる場合、基地局は、グラントベース伝送方式のためのＬ１シグナリングのＣＲＣスクランブル又はデスクランブル（descrambling）に用いられる識別子と類似した形態の識別子を、端末にグラントフリーリソース別に割り当てることができる。すなわち、リソースインデックスに対して、相異なるＣＲＣスクランブルのための相異なるＲＮＴＩ値が設定できる。
【０２６９】
また、前述したリソースインデックスは、単にリソースを指示するだけでなく、リソースの用途などを暗示するように設定されることもできる。例えば、特定インデックスのリソースは、フォールバック動作（fall-back operation）のためのリソースであることを示すことができる。あるいは、インデックスの範囲によって、特定インデックスのリソースは、他のサービス（例えば、ｅＭＢＢ（enhanced Mobile BroadBand）、ＵＲＬＬＣ（Ultra-Reliable and Low Latency Communication））のためのものであることを示すことができる。
【０２７０】
また、端末が、ホッピング、ＨＡＲＱ識別子、又は繰り返し伝送などをサポートするために複数のリソースの割り当てを受けるとき、Ｌ１活性化過程（L1 activation procedure）を経るグラントフリータイプ２の場合、複数のリソースに対する活性化手順が必要でありうる。このような活性化手順は、次のような方法（以下の方法１ないし５）のように実行できる。
【０２７１】
方法１）
【０２７２】
各リソース別の活性化又は解放を別途に処理する方法を考慮する。複数のリソースの利用が要求される場合、複数のＤＣＩが必要でありうる。また、同一の設定に対する活性化又は解放であることを区別するために、リソースインデックスなどを用いて複数のＤＣＩが区別される必要がある。該当方法の場合、端末がＤＣＩを正確に受信していない場合（すなわち、紛失（missing）した場合）、ネットワーク（例えば、基地局）と端末とは、リソースを異なって解釈することができる。
【０２７３】
方法２）
【０２７４】
活性化又は解放に関して予め準静的に複数のリソースセットを設定し（ここで、各リソースエントリは、複数のリソースを含むことができる）、動的にこれらのうちの１つを選択する方法も考慮することができる。該当リソースセットは、ＤＣＩを通じてリソースインデックスを示す場合、このうちの１つで表現されることもできる。
【０２７５】
方法３）
【０２７６】
複数のリソースをＤＣＩで指示する方法も考慮する。これは、ＤＣＩフォーマットを新しく設計するか、多重スロットリソース割り当て方式（multi-slot resource allocation scheme）などを再使用する方式で行われる。
【０２７７】
方法４）
【０２７８】
複数のリソースが、ホッピング、多重ＨＡＲＱプロセス（multi-HARQ process）、繰り返し伝送などをサポートするために用いられた場合、基地局は、このようなリソースセットを端末に設定するものでありうる。ここで、複数のリソースは、前述したグラントフリー伝送方式のための複数のリソース設定（resource configuration）を意味し、リソースセットは、グラントフリー伝送方式のためのリソース設定のセットを意味する。例えば、Ｎ個のＨＡＲＱプロセスを区分するために、Ｎ個のグラントフリー用途のリソース設定から構成されたリソースセットが割り当てられ（又は、マッピングされ）る。
【０２７９】
あるいは、端末に対するリソースを設定するとき、一部のリソース設定は、他の主なリソース設定に従属することでありうる。この場合、端末は、リソースセットのうちの１つを活性化又は解放するか、主なリソース設定に対する活性化又は解放を受信すると該当リソースセット全体を活性化又は解放するように設定されることができる。
【０２８０】
方法５）
【０２８１】
リソースの解放に関して、特定のビットの組み合わせ又は特定のフィールド値を利用して、全てのリソースを同時に解放するように設定する方法も考慮することができる。
【０２８２】
第７実施形態：端末識別子及びスクランブル関連情報を取得する方法
【０２８３】
端末がネットワークに接続するとき、基地局から与えられる端末識別子とは別に、基地局がグラントフリー伝送方式のための追加的な端末識別子を与える方法も考慮する。一般的に、基地局から与えられる端末識別子は、データのスクランブルシーケンスを生成するシード（seed）として用いられるか、基地局の制御情報（すなわち、制御シグナリング）を受信するために用いられる。
【０２８４】
端末は、グラントフリー伝送方式とグラントベース伝送方式とを同時に用いることができ、複数のグラントフリー設定の割り当てを同時に受けることができるので、グラントフリー伝送とグラントベース伝送との間又はグラントフリー伝送間で相異なる制御信号及びデータスクランブルを用いることを考慮することができる。例えば、第６実施形態において前述したように、グラントフリー伝送とグラントベース伝送との間又は複数のグラントフリー設定に対する基地局の制御信号を区別するために、相異なる端末識別子を割り当てて制御信号のＣＲＣスクランブルを行う方法を考慮することができる。
【０２８５】
相異なるアップリンク伝送間で相異なるデータスクランブルシーケンスを用いることは、基地局が該当伝送を受信する過程において、模倣性（曖昧さ）（ambiguity）を減らすために有用に利用できる。
【０２８６】
以下、グラントフリー伝送方式でデータスクランブルを用いるとき、グラントフリー伝送とグラントベース伝送との間で異なるデータスクランブルを用いる方式と、複数のグラントフリー設定に対して異なるデータスクランブルを用いる方式と、について具体的に説明する。
【０２８７】
まず、グラントフリー伝送とグラントベース伝送との間で異なるデータスクランブルを用いる方式の場合、異なるデータスクランブルシーケンスを作るために基地局から割り当てられたグラントフリー伝送方式のための端末識別子を利用することができる。特に、基地局がグラントフリーＰＵＳＣＨにグラントベースＰＵＳＣＨをスケジューリングできる場合にこのような方法が効率的である。
【０２８８】
該当方式の場合、グラントフリー伝送方式は、複数のリソース設定が存在するか、又は、複数のリソースが存在しても、１つのスクランブルシーケンスが用いられる、と仮定する。このようなスクランブルシーケンスは、端末固有に又はリソースプール固有に（共有されたリソースである場合）設定される。スクランブルシーケンスがリソースプール固有に設定され、複数のリソースプールが存在する場合、１つの値を用いるか、複数のリソースプールに対して別途の値をそれぞれ用いる方法を考慮することができる。
【０２８９】
次に、複数のグラントフリー設定に対して異なるデータスクランブルを用いる方式の場合は、次のような方法（以下の方法１ないし５）が考慮される。
【０２９０】
方法１）
【０２９１】
基準となる端末識別子及びグラントフリー設定インデックスを共にスクランブルシーケンス生成子（scrambling sequence generator）として用いる方法を考慮することができる。このとき、基準となる端末識別子は、グラントフリー伝送方式の用途として割り当てられた端末識別子又はＲＮＴＩでありうる。
【０２９２】
方法２）
【０２９３】
基地局がそれぞれのグラントフリーリソース設定毎に相異なる端末識別子を端末に設定する方法を考慮することができる。このように設定された端末識別子は、スクランブルシーケンス生成子だけでなく、第６実施形態において前述したように該当設定に対する基地局のＬ１シグナリングを受信するために利用できる。該当方法は、端末間で共有されたリソースプールの場合も適用できる。
【０２９４】
方法３）
【０２９５】
端末に割り当てられた設定の数又は最大設定の数を用いて、自動的に決定される値をスクランブルシーケンス生成子として用いる方法を考慮することができる。例えば、端末に割り当てられた設定の数又は割り当てできる最大の設定の数がｎである場合、「（用いられた時間／周波リソースのインデックス）ｍｏｄ ｎ」の演算の結果値をスクランブルシーケンス生成子として、ｎ個の相異なるスクランブルシーケンスが用いられることができる。
【０２９６】
あるいは、ある関数により単にｎ個の相異なるスクランブルシーケンス生成子を生成し、これを各設定に割り当てる方法も考慮することができる。ここで、各設定に割り当てる基準は、グラントフリーリソースインデックスでありうる。
【０２９７】
また、端末間のスクランブルを異なるようにするために、追加的に端末識別子も共に考慮することができる。このとき、用いられる端末識別子は、グラントフリー伝送方式の用途として割り当てられた端末識別子でありうる。例えば、最大Ｎ個のＲＮＴＩを利用できる場合、「ＳＦＮ＝０」で設定されたリソーススロットインデックスに基づいて「（開始ＲＮＴＩ＋ｓｌｏｔ ｉｎｄｅｘ ｍｏｄ Ｎ）ｍｏｄ Ｎ」形式でスクランブルシーケンス生成子が決定されることもできる。
【０２９８】
方法４）
【０２９９】
グラントフリー設定に含まれる情報をスクランブルシーケンス生成子として用いる方法も考慮することができる。例えば、リソース設定の時間／周波数リソース、ＲＳパラメータ、ＭＣＳ値など（例えば、当該情報の１０進数表現値）がスクランブルシーケンス生成子として利用されることもできる。このように設定に含まれる値によってスクランブルシーケンスを生成することにより、自動的に相異なる設定が異なるスクランブルシーケンスを有するようにすることができる。
【０３００】
また、端末間でスクランブルを異なるようにするために端末識別子も共に考慮することができる。このとき、用いられる端末識別子は、グラントフリー伝送方式の用途に割り当てられた端末識別子でありうる。
【０３０１】
方法５）
【０３０２】
ＨＡＲＱプロセス識別子（HARQ process ID）をスクランブルシーケンス生成子として用いる方法も考慮することができる。該当方法は、各グラントフリー設定毎に相異なるＨＡＲＱプロセス識別子を用いる場合にさらに有用である。
【０３０３】
各グラントフリー設定が独立したＨＡＲＱプロセス識別子番号（HARQ process ID numbering）を有する場合、グラントフリーリソースインデックス又はグラントフリー設定別に割り当てられた端末識別子を追加的に考慮してスクランブルシーケンス生成子が決定されることができる。
【０３０４】
また、端末間でスクランブルを異なるようにするために、端末識別子も共に考慮することができる。このとき、用いられる端末識別子は、グラントフリー伝送方式の用途として割り当てられた端末識別子でありうる
【０３０５】
本実施形態において、グラントフリー伝送とグラントベース伝送との間で異なるデータスクランブルを用いる方式と、複数のグラントフリー設定に対して異なるデータスクランブルを用いる方式と、は互いに組み合わせて用いられることもできる。例えば、グラントフリー伝送とグラントベース伝送との間で異なるデータスクランブルを用いる方式と、前述した方法４）と、が同時に適用されることができる。あるいは、グラントフリー伝送とグラントベース伝送との間で異なるデータスクランブルを用いる方式と、前述した方法２）及び／又は方法５）と、が同時に適用されることもできる。
【０３０６】
端末が１つのグラントフリーリソース設定による伝送のみを用いても、基地局が端末の各伝送を区別しなければならない場合が発生することがある。
【０３０７】
例えば、端末が繰り返し伝送を行う場合、基地局は、受信した伝送が何回目の繰り返し伝送であるかを知っていなければならない必要がありうる。あるいは、繰り返し伝送の一部が適切に受信されない場合（すなわち、紛失する場合）、基地局が端末の伝送開始位置を特定できない場合、又はグラントフリー伝送方式によるトランスポートブロック再伝送が発生できる場合、基地局は、受信したトランスポート（ブロック）が以前のトランスポートブロックと同一のトランスポートブロックであるか否かを判断しなければならない場合が発生することがある。
【０３０８】
ここで、繰り返し伝送を区別（区分）するために、反復順序（repetition order）によって相異なるスクランブルシーケンスを設定する方法が考慮される。具体的には、端末がＫ回の繰り返し伝送を行う場合、相異なるＫ個のスクランブルシーケンスが設定されることができる。あるいは、１番目の繰り返し伝送と残りの繰り返し伝送とのスクランブルが異なるように設定されることもできる。
【０３０９】
あるいは、基地局に伝送されるトランスポートブロックが転換されるとき、スクランブルシーケンスをトグル（toggle）する方法が考慮される。
【０３１０】
また、端末がグラントなしで伝送したトランスポートブロック（すなわち、グラントフリー伝送方式で伝送したトランスポートブロック）に対して、基地局は、ＵＬグラントを通じて該当トランスポートブロックに対する再伝送を要求することもできる。ここで、前述したように、ＵＬグラントは、グラントベース伝送方式で用いられるＲＮＴＩとは異なるＲＮＴＩでＣＲＣスクランブルされることができる。
【０３１１】
この場合、該当再伝送に用いるデータスクランブル方法、該当ＨＡＲＱプロセス、又は該当トランスポートブロックに対するＬ１シグナリングを送受信するために用いる端末識別子を選択することに関して、次のような方法（以下の方法１ないし２）を考慮することができる。
【０３１２】
方法１）
【０３１３】
該当再伝送に対して、以前のグラントフリー伝送のために用いられたものと同一のパラメータ又はパラメータ選択方法を適用する方法が考慮される。すなわち、グラントなしで伝送されたトランスポートブロックがグラントベースで伝送されても、最初にグラントなしで伝送されたとしたら、該当トランスポートブロックの再伝送に対しては伝送が満了するまで、最初の送信と同一の「端末識別子又は端末識別子選択方法」及び／又は「データスクランブルシーケンス又はデータスクランブルシーケンス選択方法」が適用されるように設定できる。
【０３１４】
該当方法は、グラントフリー伝送とグラントベース伝送とのＨＡＲＱプロセス識別子プール（HARQ PID pool）が分離されているか、又は個別のＨＡＲＱプロセス番号が用いられる場合、特にこのようなＨＡＲＱプロセスが伝送されたＵＬグラントのＣＲＣスクランブルにより分離される場合、トランスポートブロックのＨＡＲＱプロセス識別子（ＰＩＤ）を変更せずに伝送が続くようにすることができる。
【０３１５】
方法２）
【０３１６】
該当再伝送に対して、グラントベース伝送方式のための同一のパラメータを適用する方法を考慮することができる。すなわち、グラントなしで伝送されたトランスポートブロックがグラントベースで伝送される場合、一般的なグラントベースの伝送と同一の「端末識別子又は端末識別子選択方法」及び／又は「データスクランブルシーケンス又はデータスクランブルシーケンス選択方法」が適用されるように設定できる。
【０３１７】
該当方法は、グラントフリー伝送とグラントベース伝送とのＨＡＲＱ ＰＩＤプールが分離されておらず、同一のＨＡＲＱ ＰＩＤ番号が用いられる場合、特にグラントフリー伝送のＨＡＲＱ ＰＩＤプールがグラントベース伝送のＨＡＲＱ ＰＩＤプールに含まれる場合、グラントベース伝送方式と同一の端末識別子及びスクランブルシーケンスを選択することによりさらに動作を簡単にすることができる。
【０３１８】
あるいは、２つの伝送のＨＡＲＱ ＰＩＤプールが分離されていなくても、グラントフリー伝送のＨＡＲＱプロセスが制限される場合、これ以上伝送にグラントフリーリソースを必要としないトランスポートブロックが、グラントフリー伝送のＨＡＲＱ ＰＩＤを占めることもできる。このようなことを防止するために、グラントベース伝送と同一の方法で該当再伝送が行われるように設定されることもできる。この場合、該当トランスポートブロックのＰＩＤは、グラントフリー伝送のＰＩＤからグラントベース伝送のＰＩＤに転換されるものでありうる。
【０３１９】
ここで、該当ＴＢのプロセス識別子が転換されるとき、次のような方法（方法２−１ないし２−３）がさらに考慮されることができる。
【０３２０】
方法２−１）
【０３２１】
まず、各グラントフリー設定は、決定されたグラントベース伝送のＨＡＲＱ ＰＩＤにマッピングされることができる。この場合、グラントベース伝送方式に転換されて伝送されるトランスポートブロックは、グラントフリー設定当たり同時に１つのみ存在することもできる。グラントフリー伝送にマッピングされたＨＡＲＱ ＰＩＤは、ＨＡＲＱ ＰＩＤ管理の効率のためにグラントベース伝送で用いられることが考慮される。
【０３２２】
２つの伝送に対するＨＡＲＱ ＰＩＤ衝突が発生する場合、予め設定された規則により２つのうちの１つの伝送がドロップ（drop）又は遅延（postpone）される。例えば、端末がグラントフリー伝送方式で利用中のＨＡＲＱ−ＰＩＤと同一のＨＡＲＱ ＰＩＤを示すグラントベースのＵＬグラントを受信した場合、２つのうちの１つの伝送がドロップ又は遅延される。
【０３２３】
方法２−２）
【０３２４】
ＵＬグラントに含まれたＨＡＲＱ ＰＩＤフィールドの情報に関係なく、グラントフリー伝送方式で伝送されたトランスポートブロックとＵＬグラントとを関連付けることができる場合、ＵＬグラントに含まれたＨＡＲＱ ＰＩＤは、転換されるグラントベース伝送のＨＡＲＱ ＰＩＤを示すものでありうる。このために、ＵＬグラントに２つのＨＡＲＱ ＰＩＤフィールドが設定されることもできる。
【０３２５】
方法２−３）
【０３２６】
端末のグラントフリー伝送がグラントベース伝送に転換されるとき、グラントフリー伝送のＨＡＲＱ ＰＩＤがある関数又はオフセットによりグラントベース伝送のＨＡＲＱ ＰＩＤに転換されることもできる。この場合、グラントフリー伝送で転換されたＨＡＲＱ ＰＩＤとグラントベース伝送で利用中のＨＡＲＱ ＰＩＤとの間の衝突が発生する可能性がある。ここで、予め設定された規則により２つのうちの１つの伝送がドロップ又は遅延されるように設定されることができる。
【０３２７】
また、最初にＵＬグラントなしで伝送されたトランスポートブロックがＵＬグラントにより再伝送される場合、端末が該当ＵＬグラントを受信できない場合（すなわち、紛失する場合）が発生することがある。
【０３２８】
一般に、端末が２番目の伝送（例えば、１番目の再伝送）のためのＵＬグラントを受信できない場合、基地局は、スケジューリングされたリソースに対するデコーディングを試みることができる。基地局が、端末が２番目の伝送を行わなかったと判断するか、又はデコーディングに失敗した場合、該当基地局は、３番目の再伝送のためのＵＬグラントを端末に伝送するように設定される。
【０３２９】
ここで、該当再伝送に対して以前のグラントフリー伝送のために用いられたものと同一のパラメータ又はパラメータ選択方法を適用する方法（すなわち、再伝送に関する上記方法１））が適用される場合、２番目の伝送のためのＵＬグラントと３番目のＵＬグラントとに対して同一のＣＲＣスクランブルが用いられる。このため、端末が２番目の伝送のためのＵＬグラントを受信することができなくても、問題なく３番目の伝送のためのＵＬグラントを受信することができる。
【０３３０】
これとは異なり、該当再伝送に対してグラントベース伝送方式のための同一のパラメータを適用する方法（すなわち、再伝送に関する上記方法２））が適用される場合、端末は、該当ＵＬグラントをグラントフリー伝送方式で伝送されたトランスポートブロックに対するＵＬグラントではなく、グラントベース伝送方式で伝送されたトランスポートブロックに対するＵＬグラントであると判断することができる。この場合、端末は、基地局が指示するトランスポートブロックではなく、他のトランスポートブロックを伝送することができる。
【０３３１】
したがって、端末が再伝送のためのＵＬグラントを受信できない場合に備えるための方法が考慮される必要がある。ここで、次のような方法（以下の方法１ないし３）が考えられる。
【０３３２】
方法１）
【０３３３】
グラントフリー伝送方式に対しては、２番目の伝送までのみを可能にするように設定する方法が考慮される。すなわち、端末は、グラントフリー伝送方式に対しては、１番目の再伝送までのみを行うように設定されることができる。
【０３３４】
方法２）
【０３３５】
基地局がグラントフリー伝送方式に対する２番目の伝送を受信するとき、予め設定された閾値に基づいてＤＴＸを判断し、ＤＴＸである場合、３番目の伝送に対するＵＬグラントを伝送しないように設定する方法も考慮することができる。あるいは、基地局は、３番目の伝送のために、２番目の伝送に対するＵＬグラントと同一のＵＬグラントを伝送するように設定される。
【０３３６】
方法３）
【０３３７】
グラントフリー伝送方式とグラントベース伝送方式とのＵＬグラントを区別するために、ＣＲＣスクランブル以外にＵＬグラントに含まれた情報を用いて、端末がグラントフリー伝送に対するＤＣＩであるかに対する有効性（の検証）（validation）をさらに検討するように設定する方法も考慮することができる。有効でないと判断される場合又は有効性の検証（検討）に失敗した場合、該当端末は、該当ＵＬグラントをドロップするように設定される。
【０３３８】
第８実施形態：フォールバックリソース（fall-back resource）に関する情報を取得する方法
【０３３９】
端末が基地局からグラントフリーリソースの割り当てを受ける場合も、状況に応じて該当リソースの利用が不可能な場合が発生する。例えば、動的ＴＤＤ（dynamic TDD）が用いられる場合、グラントフリー伝送ベースのアップリンク伝送のために割り当てられたリソースのスロットの一部又は全部が、ダウンリンクリソースに変更されることができる。
【０３４０】
あるいは、グラントフリーリソースの一部又は全部がＲＡＣＨリソースなどの他の動作に用いられるアップリンクリソースと衝突することもある。この場合、グラントフリーリソース又は衝突する相手（反対）部分（counter-part）をパンクチャリング（穿孔）（puncture）するか、レートマッチング（rate-matching）を行う方法が考慮される。ただし、このためには、基地局と端末との間で揃えられた情報（aligned information）が必要でありうる。
【０３４１】
また、動的ＴＤＤで用いられるＳＦＩ（Slot Format Indicator）は、端末により正常に受信できないこともあり、このような情報を高い信頼度（reliability）で伝送するには、追加的なシグナリングオーバーヘッド及び／又は遅延時間が発生する可能性がある。また、ＵＲＬＬＣで用いられるトラフィックは、一般的に散発的な特性を有するので、このような伝送のために相手部分をパンクチャリングしたり、レートマッチングを行うことは好ましくないこともある。逆に、グラントフリーリソースをパンクチャリングしたり、レートマッチングを行うことに関しては、信頼性を保証することができないという問題が生じることがある。
【０３４２】
上記問題を解決するために、グラントフリーリソースが利用不可能になるか、又は他のリソースとの衝突が発生するときに用いるリソース（以下、フォールバックリソース）を端末に割り当てる方法が考慮される。このとき、フォールバックリソースを割り当てるために次の方法（以下の方法１ないし４）が用いられる。
【０３４３】
方法１）
【０３４４】
端末が、グラントフリー設定に、フォールバック時に用いるリソースを含める方法が考慮される。例えば、グラントフリー設定は、グラントフリーリソースが存在するスロット（又は、ミニスロット）のサブセットに設定される複数のリソースに関する情報を追加的に含むことができる。端末は、割り当てられたグラントフリーリソースが利用不可能であると判断されたとき、追加的に割り当てられたリソースの一部又は全部を用いるように設定される。
【０３４５】
方法２）
【０３４６】
フォールバック時に用いる別途のグラントフリー設定を端末に設定する方法も考慮することができる。このようなフォールバックリソースは、複数（多数）割り当てられることができる。また、端末が複数のグラントフリー設定の割り当てを受けた場合は、各フォールバックリソースは、グラントフリーリソースに１対多の関係でマッピング（one-to-many mapping）される。
【０３４７】
方法３）
【０３４８】
フォールバック時に用いるリソースが、端末に割り当てられたグラントフリーリソースに基づいて、予め設定された規則により決定される方法も考慮することができる。
【０３４９】
例えば、フォールバックリソースは、割り当てられたグラントフリーリソースを基準に、一定のリソースブロックインデックスオフセット（RB index offset）、一定のシンボル、又は一定のスロット数だけ離れた位置のリソースに設定されることができる。あるいは、これらの組み合わせでもありうる。
【０３５０】
ここで、基地局は、該当のフォールバックリソースに常に他の伝送をスケジューリングしないか、伝送されたＳＦＩ又はシステム情報（system information）などを用いて該当のフォールバックリソースを活用するか否かを決定することもできる。
【０３５１】
方法４）
【０３５２】
基地局が、それぞれ異なる時間リソースに用いる周波数リソースに関する設定情報を、端末に伝送する方法も考慮することができる。このとき、周波数リソースは、キャリア単位、又はＢＷＰ（BandWidth Part）単位で設定される。
【０３５３】
例えば、あるキャリアがダウンリンク伝送用に設定される場合、端末は、他のキャリアに転換してグラントフリー伝送を行うように設定されることができる。このような方法は、ＴＤＤの多重搬送波（マルチキャリア）（multi-carrier）状況でより効率的でありうる。
【０３５４】
前述したリソース設定は、時間情報を明示的に示すように設定される。
【０３５５】
あるいは、プライマリ（基本）リソースセット（primary resource set）及びセカンダリリソースセット（secondary resource set）が設定された後、プライマリリソースセットの利用が不可能であるか、衝突確率が高い場合は、端末がセカンダリリソースセットを用いるように設定されることもできる。ここで、セカンダリリソースセットは、複数（多数）設定されることができる。
【０３５６】
また、プライマリリソースセットからセカンダリリソースセットへの転換に関して、動的にプライマリリソースセットが利用不可であるときにのみ該当転換が行われたり、準静的又は動的にネットワークにより該当転換の指示を受けたり、端末が動的に該当転換を決定したりすることがありうる。
【０３５７】
また、このような動作は、繰り返し伝送内でも適用でき、ＨＡＲＱプロセスなどを決定するとき、タイミング（時点）情報（timing information）を用いる場合にも適用できる。例えば、２つのキャリア又はＢＷＰが異なるタイミング情報を有することができるので（例えば、異なるスロットインデックス）、該当タイミング情報は、プライマリリソースセットのタイミングに従うように設定できる。
【０３５８】
また、端末が同一のグラントフリー設定を行っても、前述したフォールバックリソースの位置は、各端末によって異なるように設定される。また、前述した方法を組み合わせて用いることもできる。例えば、ＲＡＣＨ又はグラントフリー伝送方式を用いる端末間の伝送衝突問題を解決するためには、前述した方法１が用いられ、該当スロット全体が利用不可能になる動的ＴＤＤでの問題を解決するためには、前述した方法２又は方法２が用いられるように設定される。
【０３５９】
前述したように、フォールバックリソースを活用するか否かを判断するために、端末は、割り当てられたグラントフリーリソースが有効であるか否かを判断する必要がある。このために、端末は、ＳＦＩ、システム情報などをモニタリングすることができる。
【０３６０】
例えば、端末がＳＦＩを通じてグラントフリーリソースの有効性を判断する場合、該当端末は、ＳＦＩによりアップリンク用として指示されるスロットに属するグラントフリーリソースを有効であると仮定することができる。あるいは、該当端末は、ＳＦＩによりアップリンク用又は未定（Unknown）として指示されるスロットに属するグラントフリーリソースを有効であると仮定することもできる。あるいは、該当端末は、ＳＦＩに関係なくグラントフリーリソースを常に有効であると仮定することもできる。
【０３６１】
該当の例の方法のうちのいずれの方法を用いるかは、システム上で予め設定されるか、又は基地局によるＬ１シグナリング若しくは上位層シグナリングを通じて設定されることもできる。また、端末がＳＦＩをモニタリングしない場合、他の情報がなければ、該当端末は、ＳＦＩに関係なくグラントフリーリソースを常に有効であると仮定するように設定できる。
【０３６２】
また、一般的に、グラントフリーリソースは、（周期的に）解放されるまでは継続して存在するので、端末がＳＦＩを受信したとき、該当ＳＦＩによる判断をどのタイミングから適用するかに対する模倣性（曖昧さ）が存在する可能性がある。この場合、該当ＳＦＩによる判断が適用されるタイミングは、基地局の上位層シグナリングにより設定できる。あるいは、該当判断は、ＳＦＩを受信したスロット又はその次のスロットから適用されるように設定されることもできる。
【０３６３】
また、基地局が特定のタイミングで、グループ共通ＤＣＩを用いて、フォールバックリソースがいつ活用可能であるかに関するオフセット情報を端末に伝達する方法も考慮することができる。
【０３６４】
例えば、ｎ番目のスロット（slot #n）において構成されたリソースがダウンリンクリソースに変更されることにより利用不可となった場合、基地局は、ｎ−ｋ番目のスロット（すなわち、slot #n-k）においてグループ共通ＤＣＩにより該当リソースがいつ活用可能となるかに関する情報を端末に伝達することができる。具体的な例として、オフセットが１である場合、これは、次のスロット（すなわち、ｎ＋１番目のスロット）において同一の周波数／時間／ＤＭＲＳリソースが利用可能であることを意味する。端末がこのような設定を受ける場合、該当端末は、ｎ番目のスロットの代わりにｎ＋１番目のスロットにおいて新しいリソースが発生することを仮定することができる。このような方式は、スロットだけでなく、ミニスロットの場合も適用できることは言うまでもない。
【０３６５】
ここで、前述したグループ共通ＤＣＩは、該当リソースが利用不可となる場合にのみ発生するように設定されることができる。また、前述したＴＰＣ（すなわち、第５実施形態）の場合と類似して、前述したグループ共通ＤＣＩをモニタリングする周期、オフセット、インデックスなどは、各リソース別及び／又はキャリア別に設定されることもできる。また、前述したグループ共通ＤＣＩは、複数のリソースに割り当てられることもできる。例えば、ｎ−ｋ番目のスロットにおいて周期「Ｐ」で伝送されたＤＣＩは、ｎ番目のスロットからｎ＋ｐ番目のスロットまで利用不可であるリソースに対してオフセットを同一に適用するように設定される。
【０３６６】
あるいは、前述したオフセット情報は、このような動的ＤＣＩの代わりに準静的に設定されることもできる。すなわち、利用不可となった各リソースがいつ利用可能となるかに関する遅延情報（delay）が、上位層シグナリングに設定されることもできる。
【０３６７】
第９実施形態：制御リソースセット（ＣＯＲＥＳＥＴ）に関する情報を取得する方法
【０３６８】
グラントフリー伝送方式を用いる端末は、グラントフリー伝送に対する設定、活性化／非活性化、又はグラントフリー伝送の再伝送のためのＵＬグラントを受信するために、Ｌ１シグナリングをモニタリングするように設定されることもできる。
【０３６９】
ここで、モニタ領域、すなわち制御リソースセット（ＣＯＲＥＳＥＴ）は、既存のグラントベース伝送に対するＬ１シグナリングを受信するためのＣＯＲＥＳＥＴとは異なるように設定される。すなわち、ＵＬグラントを受信するためのＣＯＲＥＳＥＴが、グラントフリー伝送方式とグラントベース伝送方式とに対して互いに異なるように設定されることができる。
【０３７０】
また、グラントフリー伝送の場合に、Ｌ１シグナリングのタイプによって異なるＣＯＲＥＳＥＴが用いられることもできる。ここで、基地局が、グラントフリー伝送に対するＣＯＲＥＳＥＴを端末に割り当てるために、次のような方法（方法１ないし４）が用いられることができる。
【０３７１】
方法１）
【０３７２】
グラントベース伝送のＣＯＲＥＳＥＴと同一のＣＯＲＥＳＥＴを用いるように設定する方法が考慮できる。グラントベース伝送方式のために複数のＣＯＲＥＳＥＴが設定された場合、このうちの１つのＣＯＲＥＳＥＴがグラントフリー設定により指定される。
【０３７３】
また、グラントフリー伝送方式のためのＬ１シグナリングに複数のＤＣＩフォーマットが適用される場合、端末は、グラントフリー伝送方式のために、同一のＤＣＩフォーマットサイズ（DCI format size）（すなわち、ＤＣＩフォーマットのビットサイズ）を用いるグラントベース伝送方式のＣＯＲＥＳＥＴを用いるように設定されることもできる。各ＤＣＩがＣＲＣスクランブルにより区別されることによって、端末が、同一のサイズのＤＣＩフォーマットがグラントフリー伝送方式又はグラントベース伝送方式に用いられるＤＣＩとして区別されて受信できるとき、該当方法がより有用でありうる。
【０３７４】
方法２）
【０３７５】
グラントベース伝送のＣＯＲＥＳＥＴでない、グラントフリー伝送のための別途のＣＯＲＥＳＥＴを端末に割り当てる方法を考慮することができる。グラントフリー伝送を設定するとき、該当グラントフリー伝送に用いられるＣＯＲＥＳＥＴを設定するか、又は設定に関係なく全てのグラントフリー伝送が１つの同一のＣＯＲＥＳＥＴを用いるように設定できる。
【０３７６】
グラントフリー伝送方式のためのＬ１シグナリングに複数のＤＣＩフォーマットが適用される場合、相異なるＤＣＩフォーマット又は相異なるＤＣＩフォーマットサイズによってそれぞれ異なるＣＯＲＥＳＥＴが割り当てられることもできる。
【０３７７】
方法３）
【０３７８】
グラントフリー伝送方式又はグラントベース伝送方式と関係なく、端末が受信しなければならないＤＣＩフォーマット又はＤＣＩフォーマットサイズによって異なるＣＯＲＥＳＥＴを割り当てる方法も考慮することができる。
【０３７９】
方法４）
【０３８０】
上位層シグナリング（例えば、ＲＲＣシグナリング）のみに基づくグラントフリー伝送（以下、伝送Ａ）のＬ１シグナリングに対して、該当端末に関連付けられたＬ１シグナリングを用いる他のグラントフリー伝送（以下、伝送Ｂ）のＣＯＲＥＳＥＴが存在する場合を仮定する。この場合、伝送Ｂのために設定されたＣＯＲＥＳＥＴを伝送ＡのためのＣＯＲＥＳＥＴとして用いる方法を考慮することができる。
【０３８１】
前述したＬ１シグナリングのタイプは、グラントフリー設定の活性化／非活性化、ＵＬグラントだけでなく、該当シグナリングなどの詳細内容によって区別されることもできる。例えば、ＵＬグラントの場合、ミニスロットベースのスケジューリングＵＬグラントとスロットベースのスケジューリングＵＬグラントとは、異なる（他の）（different）タイプのＬ１シグナリングとして区別することができる。
【０３８２】
第１０実施形態：参照信号に関する情報を取得する方法
【０３８３】
前述したように、グラントフリー伝送を考慮する場合、参照信号パラメータなどの一部のパラメータは、各端末に対して相異なる値が設定される必要がある。複数の端末が同一のアップリンクリソースを同時に用いるとき、基地局は、相異なるパラメータとして伝送された参照信号から端末を認識（認知）する（recognize）ことは困難でありうる。
【０３８４】
一般的に、端末は、アップリンク伝送のために２種類の参照信号を用いることができる。このうちの１つは、ＤＭＲＳとして端末が伝送するＰＵＳＣＨのチャネルを測定するために用いられ、他の１つは、ＰＴＲＳ（Phase-Tracking Reference Signal）として端末のドップラ効果、ＣＦＯ（Carrier Frequency Offset）などの位相（phase）を補償するために用いられる。
【０３８５】
端末が伝送する各参照信号は、端末が用いる波形タイプによって異なるように設定される。例えば、ＤＦＴ−ｓ−ＯＦＤＭを用いる端末は、巡回シフトされたＺＣシーケンス（cyclic shifted ZC sequence）を用い、ＣＰ−ＯＦＤＭを用いる端末は、ＰＮシーケンスを参照信号として用いるように設定される。
【０３８６】
また、特定参照信号に対するシーケンスの生成方法も、端末が伝送に用いる波形タイプによって異なるように設定される。例えば、ＤＭＲＳシーケンスは、ＤＦＴ−ｓ−ＯＦＤＭベースの波形タイプ（すなわち、変換プリコーダが利用可能な波形タイプ）と、ＣＰ−ＯＦＤＭベースの波形タイプ（すなわち、変換プリコーダが利用不可能な波形タイプ）と、に対して相異なる方式で設定又は生成されることができる。
【０３８７】
また、これとは逆（反対）に、端末が伝送する各参照信号によって波形タイプが異なるように設定されることもできる。
【０３８８】
端末が巡回シフトされた参照信号をＤＭＲＳとして用いる場合、相異なる端末と相異なる参照信号を多重化するために、各端末には、同一のシーケンス（例えば、基本シーケンス（base sequence））と相異なる巡回シフト値とが割り当てられる必要がある。すなわち、多重化のために、互いに同一のルートシーケンス（root sequence）を用いるための方法及び相異なる巡回シフトを用いるための方法が考慮される。以下、各方法について具体的に説明する。
【０３８９】
まず、多重化のために、互いに同一のルートシーケンスを用いるための方法（以下の方法１ないし４）について説明する。
【０３９０】
方法１）
【０３９１】
互いに同一の基本シーケンスを割り当てるために、上位層の追加情報及び／又はより低い層の追加情報を定義する方法が考慮される。例えば、参照信号の伝送に用いられる基本シーケンスのルートインデックスを示す情報が、ＲＲＣパラメータ要素（RRC parameter element）及び／又はＤＣＩフィールドに含まれることができる。
【０３９２】
方法２）
【０３９３】
基本シーケンスを決定するためにＤＭＲＳアンテナポート番号を用いる方法が考慮される。同一のＤＭＲＳ位置を用いる端末が常に同一のＤＭＲＳアンテナポート番号を有する場合に該当方法が有用でありうる。
【０３９４】
方法３）
【０３９５】
基本シーケンスを決定するために時間／周波数リソース割り当て情報を用いる方法が考慮される。同一のＰＵＳＣＨリソースを用いる端末間で同一の基本シーケンスを用いるために該当方法が有用でありうる。
【０３９６】
方法４）
【０３９７】
端末間でグラントフリー伝送のために共有する同一のＲＮＴＩが存在するか、グラントフリー伝送のＡＣＫ／ＮＡＣＫがグループ共通ＤＣＩとして伝達される場合を仮定する。ここで、これを受信するためのＲＮＴＩ又はフォールバック伝送のためのＲＮＴＩが端末間で共通に割り当てられたとき、該当ＲＮＴＩを用いて基本シーケンスを生成する方法も考慮することができる。
【０３９８】
次に、多重化のために、相異なる巡回シフトを用いるための方法（以下の方法１ないし５）について説明する。
【０３９９】
方法１）
【０４００】
相異なる巡回シフトを割り当てるために、上位層の追加情報及び／又はより低い層の追加情報を定義する方法が考慮される。例えば、参照信号の伝送に用いられるシーケンスに適用される巡回シフトインデックスを示す情報が、ＲＲＣパラメータ要素及び／又はＤＣＩフィールドに含まれることができる。
【０４０１】
方法２）
【０４０２】
ＤＭＲＳアンテナポートが別途のパラメータ又はフィールドとして伝達され、グラントベース伝送方式でＤＭＲＳアンテナポート別に相異なる巡回シフトを用いる場合を仮定する。この場合、グラントフリー伝送方式のために、グラントベース伝送方式と同一のＤＭＲＳアンテナポートと巡回シフトとのマッピング（DMRS antenna port to CS mapping）方式を用いる方法が考慮される。
【０４０３】
方法３）
【０４０４】
ＤＭＲＳアンテナポートが別途のパラメータ又はフィールドとして伝達されるとき、グラントベース伝送方式とは異なるＤＭＲＳアンテナポートと巡回シフトとのマッピング方式を定義して、該当のＤＭＲＳアンテナポート値のみで巡回シフトを定義（又は、設定）する方法が考慮される。例えば、グラントベース伝送でＤＭＲＳアンテナポートが、ＤＭＲＳが伝送されるリソースエレメント（ＲＥ）を決定するために用いられるとき、グラントフリー伝送では、ＤＭＲＳに用いられるＲＥだけでなく、巡回シフトも定義するように設定できる。
【０４０５】
方法４）
【０４０６】
第３実施形態のように、各端末別に一意（固有）に（uniquely）割り当てられた異なる値から巡回シフト値を任意に導出するように設定する方法も考慮することができる。例えば、端末識別子（例えば、Ｃ−ＲＮＴＩ又はＣＳ−ＲＮＴＩ）をＮのサイズを有する任意の範囲に変換して（例えば、ｍｏｄ Ｎ）、該当値を巡回シフトのインデックスとして用いるように設定することができる。
【０４０７】
ＲＲＣ設定のみを用いるタイプ１ ＰＵＳＣＨリソースとＲＲＣ設定及びＤＣＩを用いるタイプ２ ＰＵＳＣＨリソースとが１つのセルで同時に設定された場合に各設定の端末グループは異なることがあるため、端末識別子（例えば、ＣＳ−ＲＮＴＩ）を用いた巡回シフト導出方法は、柔軟性（flexibility）を減少させることができる。このような場合、タイプ１ ＰＵＳＣＨリソースでは該当方法を用い、タイプ２ ＰＵＳＣＨに対しては、グラントベース伝送方式と同一の方法又は前述した他の（異なる）（other）方法を用いるように設定されることもできる。
【０４０８】
方法５）
【０４０９】
また、端末固有ＰＮシーケンス生成に用いられるパラメータを用いて、各参照信号伝送に適用される巡回シフト値を示す方法も考慮することができる。
【０４１０】
これとは異なり、端末がＰＮシーケンスをＤＭＲＳとして用いる場合、相異なる端末と相異なる参照信号を多重化するために、他のシーケンス生成値、すなわち、シーケンス生成初期値（Ｃ＿ｉｎｉｔ）を用いる必要がある。グラントベース伝送方式の場合、シーケンス生成初期値を割り当てるために別途の上位層シグナリング及びセル識別子が用いられる。
【０４１１】
グラントフリー伝送方式に対してシーケンス生成初期値を決定するために、次のような方法（以下の方法１ないし３）が用いられる。
【０４１２】
方法１）
【０４１３】
グラントフリー伝送方式の場合も、グラントベース伝送方式のシーケンス生成初期値を同一に用いるように設定する方法が考慮される。
【０４１４】
方法２）
【０４１５】
グラントフリー伝送方式のシーケンス生成初期値のための上位層の追加情報及び／又はより低い層の追加情報を定義する方法が考慮される。例えば、参照信号の伝送にＰＮシーケンス生成のための初期値を示す情報が、ＲＲＣパラメータ要素及び／又はＤＣＩフィールドに含まれることができる。
【０４１６】
ＰＮシーケンスが適切に選択された場合に相互間の相関値がより低く設定されることができるので、基地局が明示的に低い相関値を有するＰＮシーケンスを割り当てて端末検出の可能性を向上させることができる。
【０４１７】
方法３）
【０４１８】
第３実施形態のように、各端末別に一意に割り当てられた異なる値からシーケンス生成初期値を任意に導出するように設定する方法も考慮することができる。例えば、端末識別子（例えば、Ｃ−ＲＮＴＩ又はＣＳ−ＲＮＴＩ）がＤＭＲＳスクランブル識別子の代わりに用いられることができる。
【０４１９】
ＲＲＣ設定のみを用いるタイプ１ ＰＵＳＣＨリソースとＲＲＣ設定及びＤＣＩを用いるタイプ２ ＰＵＳＣＨリソースとが１つのセルで同時に設定された場合に各設定の端末グループは異なることがあるため、端末識別子（例えば、ＣＳ−ＲＮＴＩ）を用いたシーケンス導出方法は、柔軟性を減少させることができる。このような場合、タイプ１ ＰＵＳＣＨリソースでは該当方法を用い、タイプ２ ＰＵＳＣＨに対しては、グラントベース伝送方式と同一の方法又は前述した他の方法を用いるように設定されることもできる。
【０４２０】
また、基地局は、上位層シグナリングを通じて端末がアップリンク伝送を行うときにＰＴＲＳを伝送するように設定することができる。ＰＴＲＳを伝送するように設定された端末は、自体に割り当てられたＰＵＳＣＨリソース、トランスポートブロックのＭＣＳ、及び／又はリソースブロックサイズ（RB size）などを考慮してＰＴＲＳを伝送することができる。
【０４２１】
しかしながら、ＰＴＲＳの用途を考慮すると、低いトラフィック到着率（traffic arrival rate）を有するＵＲＬＬＣ伝送では、ＭＣＳが低くてリソースブロックサイズが小さくてもＰＴＲＳを伝送することが有利（利得）である（advantageous）こともある。それに対して、コンテンションベースの伝送に設定されたグラントベースＰＵＳＣＨでは、端末がＰＴＲＳを伝送しても、他の端末が該当リソースエレメントにレートマッチングを行ったり、パンクチャリングしない以上、ＰＴＲＳが伝送されたリソースエレメントが他の（異なる）（other）端末のＰＵＳＣＨ伝送により影響を受ける可能性がある。
【０４２２】
したがって、グラントフリー伝送方式ベースのＰＵＳＣＨ伝送を考慮すると、次のような方法（以下の方法１ないし５）によりＰＴＲＳ伝送が行われる。
【０４２３】
方法１）
【０４２４】
グラントフリー伝送方式の場合、異なるＰＴＲＳ設定、ＭＣＳ、リソースブロックサイズなどに関係なく、ＰＴＲＳ伝送が行われないように設定する方法が考慮される。この場合、端末は、グラントフリー伝送方式でＰＴＲＳを伝送しないと仮定することができる。
【０４２５】
方法２）
【０４２６】
方法１）とは異なり、グラントフリー伝送方式の場合、異なるＰＴＲＳ設定、ＭＣＳ、リソースブロックサイズなどに関係なく、ＰＴＲＳ伝送が行われるように設定する方法も考慮することができる。
【０４２７】
方法３）
【０４２８】
グラントフリー伝送方式のＰＴＲＳに対して、グラントベース伝送方式におけるのと同一の方式でＰＴＲＳを伝送するか否かを決定する方法も考慮することができる。
【０４２９】
方法４）
【０４３０】
グラントフリー伝送方式でのＰＴＲＳ伝送のために、グラントベース伝送方式と異なるパラメータテーブル（parameter table）を用いるように設定する方法が考慮される。あるいは、端末が同一のパラメータテーブルを用い、グラントフリー伝送方式用として別途の閾値の割り当てを受けることもできる。
【０４３１】
例えば、パラメータテーブルは、グラントフリー伝送方式とグラントベース伝送方式とに対して同一に用いられるが、グラントフリー伝送を行う場合は、ＰＴＲＳ−ＭＣＳｎ、Ｎ＿ＰＲＢｎと別途に割り当てられた、ＰＴＲＳ−ＭＣＳ１−ｗｏｇｒａｎｔ、Ｎ＿ＰＲＢｎ−ｗｏｇｒａｎｔを用いるように設定することができる。
【０４３２】
方法５）
【０４３３】
グラントフリー伝送でＰＴＲＳを伝送するか否かを決定するための上位層の追加情報及び／又はより低い層の追加情報を定義する方法が考慮される。例えば、ＰＴＲＳを伝送するか否かを示す情報が、ＲＲＣパラメータ要素及び／又はＤＣＩフィールドに含まれることができる。
【０４３４】
例えば、当該情報は、１ビットのフラグ（flag）でグラントフリー伝送においてＰＴＲＳを伝送するか否かを示すことができる。該当フラグが「ＯＮ」になる場合、端末は、自体に割り当てられたＰＵＳＣＨリソースのＭＣＳ及びリソースブロックのサイズを考慮してＰＴＲＳの密度（density）（すなわち、リソース領域にＰＴＲＳがマッピングされる程度）を決定することができる。ここで、前述した方法３）のようにグラントベース伝送方式とは異なる条件が用いられることもできる。
【０４３５】
コンテンションベースのＰＵＳＣＨでＰＴＲＳを伝送する場合、端末間で用いられるＰＴＲＳリソースが異なるように設定されると、参照信号の伝送がアップリンクデータにより妨害を受けることがある。したがって、１つのＰＵＳＣＨを共有する端末間では、ＰＴＲＳ伝送に用いられるリソースエレメントを同一に設定し、ＰＴＲＳを伝送するためのシーケンス間でも相関性が低いように設定することが効率的でありうる。
【０４３６】
ここで、同一のＰＴＲＳ伝送位置（すなわち、同一のＰＴＲＳ伝送リソース）を設定する方法として、ＺＣシーケンスベースのＤＭＲＳの基本シーケンスを生成するために設定されるパラメータの利用が考慮される。例えば、時間／周波数リソース割り当ての情報がコンテンションベースのＰＵＳＣＨのＰＴＲＳ伝送位置を決定するために用いられる。
【０４３７】
また、ＰＴＲＳシーケンスを各端末別に直交又は相関性なしで生成するために、既存の方法を用いるか、端末固有ＤＭＲＳの決定方法を用いるか、最も相関性が低いと確認されたＰＮシーケンスのセットのインデックスを端末固有パラメータを通じて導出するように設定することができる。ここで、用いられる端末固有パラメータは、端末固有ＤＭＲＳを生成するために用いられたパラメータでありうる。
【０４３８】
第１１実施形態：トランスポートブロックサイズを決定する方法
【０４３９】
端末がグラントを受信する場合、トランスポートブロックサイズ（ＴＢＳ）は、リソースエレメントの数及び符号化（コード）率（code rate）の関数により算出することができる。また、ＴＢＳは、ＤＭＲＳオーバーヘッド（OverHead：ＯＨ）などを考慮して、オーバーヘッドに対するパラメータを上位層シグナリングを通じて取得し、取得した値を乗算して算出されることもできる。
【０４４０】
前述したものと類似した方式をグラントフリー伝送方式にも適用することができ、オーバーヘッドに対する値は、グラントベース伝送方式とグラントフリー伝送方式とのリソースに別途に設定されるか、１つの値（各キャリア別に設定された値）にすることもできる。ここで、ＤＭＲＳ及び／又はＰＴＲＳのオーバーヘッドなどは、除かれる必要がある。
【０４４１】
各ＤＭＲＳなどのために端末が選択するパラメータによってＴＢＳが変わることを防止するために、グラントフリー伝送方式の場合、ＴＢＳ及び変調多値数（順序）（modulation order）に関する情報をＭＣＳの代わりに設定することもできる。
【０４４２】
また、端末がグラントフリー伝送に対する再伝送のためのＵＬグラントを受信する場合、該当端末は、ＴＢＳを算出せずに、以前のグラントフリー伝送に用いられたＴＢＳを用いるように設定されることもできる（又は、仮定することもできる）。これは、特に、再伝送のためのＵＬグラントによりＣＢＧ（Code Block Group）ベースの再伝送が設定された場合、以前のＴＢＳ値を表現することが困難である場合に有用でありうる。
【０４４３】
すなわち、端末がＵＬグラントの設定を既に受けた場合、又は、受信したグラントに対する再伝送を認識している場合、該当端末は、ＴＢＳ算出を省略（skip）することができる。言い換えると、受信したＵＬグラントがどの設定（例えば、グラントフリー用の設定若しくはスラントベース用の設定）に関連付けられているかを端末が予め認識しているか、又は該当再伝送を受信したＵＬグラントのうちのいずれのＵＬグラントに関するものであるかを予め認識している場合、該当端末は、ＴＢＳ算出の動作を省略するように設定される。
【０４４４】
このような動作により、初期伝送と再伝送との間のＴＢＳを合わせる動作の複雑度が低下することができる。端末が初期伝送をのがした場合、又は初期伝送と再伝送とに対して算出されたＴＢＳ値が相異なる場合、これは、ネットワークがブラインドデコーディング（ＢＤ）により初期伝送のＴＢＳ又は再伝送のＴＢＳを読み出す（又は、導出する）ことができると仮定する。したがって、リソース割り当てなどの理由で初期伝送と再伝送とのＴＢＳを合わせることができない場合、ネットワークは、端末から異なるＴＢＳが伝送されることができると仮定することができる。
【０４４５】
第１２実施形態：周波数ホッピングに関する情報を取得する方法
【０４４６】
ＮＲシステムにおいて、端末は、多様な送信期間（伝送持続時間）（transmission duration）を用いることができる。このような端末のために、基地局は、多様な方法によりスロット内のシンボルを用いるようにスケジューリングすることができる。
【０４４７】
グラントフリー伝送方式に関して、スケジューリングされたリソース（例えば、アップリンクスケジューリングされたリソース）に対して周波数ホッピング（frequency hopping）を適用する方法が考慮される。
【０４４８】
ただし、各端末別に異なるホッピング境界（hopping boundary）を有する場合、複数の端末が用いるリソースを効率的にスケジューリングすることは困難でありうる。
【０４４９】
このような問題を解決するために、次のような方法（以下の方法１ないし２）が用いられる。
【０４５０】
方法１）
【０４５１】
アップリンク伝送に用いられるアップリンクリソースで参照信号（例えば、ＤＭＲＳ）の位置がスロットに基づいて決定される場合、ホッピング境界もスロットに基づいた位置に決定される。すなわち、参照信号がスロットベースのスケジューリングによって設定される場合、周波数ホッピングもスロットベースのスケジューリングによって設定できる。
【０４５２】
例えば、ＮＲシステムにおいて、端末がＰＵＳＣＨマッピングタイプＡ（PUSCH mapping type A）を用いる場合、端末は、常に８番目のシンボルでＰＵＳＣＨをホッピングして伝送するように設定される。
【０４５３】
方法２）
【０４５４】
アップリンク伝送に用いられるアップリンクリソースで参照信号（例えば、ＤＭＲＳ）の位置と関係なく、ホッピング境界がスロットに基づいた位置に決定されることもできる。例えば、ＮＲシステムにおいて、ＰＵＳＣＨマッピングタイプに関係なく、端末は、常に８番目のシンボルにおいてＰＵＳＣＨをホッピングして伝送するように設定されることもできる。
【０４５５】
また、ＰＵＳＣＨに対するホッピング境界は、ＰＵＣＣＨのように上位層パラメータ（例えば、ＲＲＣパラメータ）なしで決定されることもできる。ＰＵＣＣＨに対する周波数ホッピングの場合、ホッピング境界は、時間リソース割り当てに基づいて指定されることができる。
【０４５６】
しかしながら、ＰＵＳＣＨに対する周波数ホッピングのためにＰＵＣＣＨと同一のメカニズムを用いることは好ましくないことがある。また、ＰＵＳＣＨに対するホッピング境界が時間リソース割り当てによって異なるように設定される場合、周波数ホッピングを有する多重ＰＵＳＣＨ（multiple PUSCHs）をリソースグリッド（格子）（resource grid）に効率的に割り当てることは困難でありうる。ここで、ＰＵＳＣＨの場合、ＰＵＣＣＨよりアップリンクリソースでより多くの部分を占めることができるので、ＰＵＣＣＨ伝送の場合よりＰＵＳＣＨ伝送のリソース割り当てがより重要であることもある。
【０４５７】
したがって、ＰＵＳＣＨに対するホッピング境界は、ＰＵＳＣＨに対するスロット境界（slot boundary）に基づいて決定されることが好ましい。例えば、ＰＵＳＣＨ ＤＭＲＳの位置がＰＵＳＣＨマッピングタイプＡに対するスロット境界により決定される点を考慮すると、少なくともＰＵＳＣＨマッピングタイプＡに対しては、ＰＵＳＣＨに対するホッピング境界（すなわち、周波数ホッピング境界）は、スロットの開始に対する相対的位置により決定されることができる。
【０４５８】
前述した実施形態で提案した方法により設定された設定情報を受信した端末は、グラントフリー伝送方式を用いてアップリンク伝送を適切（適合）に（appropriately）行うことができる。
【０４５９】
図６は、本明細書で提案する方法が適用できる無線通信システムにおいて、アップリンク伝送を行う端末の動作のフローチャートを示す。図６は、単に説明の便宜のためのものに過ぎず、本発明の範囲を制限するものではない。
【０４６０】
図６に示すように、端末は、前述した本発明の実施形態で説明される方法により設定されるグラントフリー伝送方式に基づいて、アップリンク伝送を行う場合が仮定される。
【０４６１】
段階Ｓ６０５で、端末は、基地局から、アップリンクグラントなしでアップリンク伝送を行うための設定情報を受信することができる。ここで、上記設定情報は、前述したグラントフリー伝送方式のための設定情報を意味し、上位層シグナリングを通じて受信される。ここで、上記設定情報は、本明細書で提案する１つ又は複数の実施形態において説明される方法により設定及び伝達される。
【０４６２】
その後、段階Ｓ６１０で、端末は、上記設定情報に基づいて設定される少なくとも１つのアップリンクリソースを通じて、上記基地局にアップリンクデータを伝送することができる。ここで、アップリンクデータは、前述したＰＵＳＣＨを介して伝送できる。また、上記少なくとも１つのアップリンクリソースは、前述した少なくとも１つのグラントフリーリソースに該当する。
【０４６３】
ここで、前述したように（例えば、第２実施形態）、段階Ｓ６０５で受信される設定情報は、アップリンクデータの繰り返し伝送に関する情報を含むことができる。例えば、上記設定情報は、アップリンクデータの繰り返し回数（repetition number）を示す情報を含むことができる。ここで、前述したように、上記繰り返し回数は、スロットベースの繰り返し伝送と非スロットベース（non-slot based）の繰り返し伝送とに対して同一に設定できる。また、上記設定情報は、アップリンクデータの伝送に関連するホッピングに関する情報をさらに含むことができる。
【０４６４】
また、前述したように（例えば、第４実施形態）、端末がアップリンク伝送のための複数の波形タイプ（waveform type）をサポートする場合、段階Ｓ６０５で受信される設定情報は、アップリンクデータの伝送に適用される特定の波形タイプを示す情報をさらに含むこともできる。例えば、上記特定波形タイプは、ＣＰ−ＯＦＤＭ又はＤＦＴ−ｓ−ＯＦＤＭのいずれか１つに基づくものでありうる。
【０４６５】
また、上記特定波形タイプは、段階Ｓ６０５で受信される設定情報に含まれたリソース割り当てタイプ（resource allocation type）によって決定されることもできる。例えば、上記少なくとも１つのアップリンクリソースが連続して割り当てられる場合、上記特定波形タイプは、上記ＤＦＴ−ｓ−ＯＦＤＭベースの波形タイプに該当する。これとは異なり、上記少なくとも１つのアップリンクリソースが不連続で割り当てられる場合、上記特定波形タイプは、上記ＣＰ−ＯＦＤＭベースの波形タイプに該当する。
【０４６６】
また、前述したように、アップリンクデータの伝送のためのＤＭＲＳは、上記複数の波形タイプによって互いに異なるように設定されることもできる。例えば、ＣＰ−ＯＦＤＭベースの波形タイプが用いられる場合とＤＦＴ−ｓ−ＯＦＤＭベースの波形タイプが用いられる場合とに対して、ＤＭＲＳシーケンスを生成する方法が互いに異なるように適用される。
【０４６７】
本発明を適用できる装置一般
【０４６８】
図７は、本明細書で提案する方法を適用できる無線通信装置のブロック構成図を示す。
【０４６９】
図７に示すように、無線通信システムは、基地局７１０と、基地局７１０領域内に位置する複数の端末７２０と、を含む。
【０４７０】
基地局７１０は、プロセッサ（processor）７１１、メモリ（memory）７１２及びＲＦ部（radio frequency unit）７１３を含む。プロセッサ７１１は、図１ないし図６において提案された機能、過程及び／又は方法を実現する。無線インタフェースプロトコルの層は、プロセッサ７１１により実現できる。メモリ７１２は、プロセッサ７１１に接続され、プロセッサ７１１を駆動するための多様な情報を保存する。ＲＦ部７１３は、プロセッサ７１１に接続され、無線信号を伝送及び／又は受信する。
【０４７１】
端末７２０は、プロセッサ７２１、メモリ７２２及びＲＦ部７２３を含む。
【０４７２】
プロセッサ７２１は、図１ないし図６において提案された機能、過程及び／又は方法を実現する。無線インタフェースプロトコルの層は、プロセッサ７２１により実現できる。メモリ７２２は、プロセッサ７２１に接続され、プロセッサ７２１を駆動するための多様な情報を保存する。ＲＦ部７２３は、プロセッサ７２１に接続され、無線信号を伝送及び／又は受信する。
【０４７３】
メモリ７１２、７２２は、プロセッサ７１１、７２１の内部又は外部に位置することができ、周知の多様な手段でプロセッサ７１１、７２１に接続される。
【０４７４】
例えば、低遅延（low latency）サービスをサポートする無線通信システムにおいてダウンリンクデータ（DL data）を送受信するために、端末は、無線信号を送受信するためのＲＦ（Radio Frequency）ユニット、及び上記ＲＦユニットと機能的に接続されるプロセッサを含むことができる。
【０４７５】
また、基地局７１０及び／又は端末７２０は、１つのアンテナ（single antenna）又は複数の（多重）アンテナ（multiple antenna）を有することができる。
【０４７６】
図８は、本発明の一実施形態による通信装置のブロック構成図を示す。
【０４７７】
特に、図８においては、図７の端末をより詳細に示す。
【０４７８】
図８に示すように、端末は、プロセッサ（又は、デジタル信号プロセッサ（ＤＳＰ：Digital Signal Processor）８１０、ＲＦモジュール（RF module）（又は、ＲＦユニット）８３５、電力（パワー）管理モジュール（power management module）８０５、アンテナ（antenna）８４０、バッテリ（battery）８５５、ディスプレイ（display）８１５、キーパッド（keypad）８２０、メモリ８３０、シムカード（SIM（Subscriber Identification Module） card）８２５（この構成はオプション（選択的）である（optional））、スピーカ（speaker）８４５、及びマイクロホン（microphone）８５０を含むことができる。端末は、また、単一のアンテナ又は複数（多重）のアンテナ（multiple antennas）を含むことができる。
【０４７９】
プロセッサ８１０は、図１ないし図６において提案された機能、過程及び／又は方法を実現する。無線インタフェースプロトコルの層は、プロセッサ８１０により実現できる。
【０４８０】
メモリ８３０は、プロセッサ８１０に接続され、プロセッサ８１０の動作に関する情報を保存する。メモリ８３０は、プロセッサ８１０の内部又は外部に位置することができ、周知の様々な手段でプロセッサ８１０に接続される。
【０４８１】
ユーザは、例えば、キーパッド８２０のボタンを押したり（又は、タッチしたり）、又はマイクロホン８５０を用いた音声駆動（voice activation）により電話番号などのコマンド情報を入力する。プロセッサ８１０は、このようなコマンド情報を受信し、電話番号で電話をかけるなどの適切な機能を実行するように処理する。駆動上のデータ（operational data）は、シムカード８２５又はメモリ８３０から抽出することができる。また、プロセッサ８１０は、ユーザの認識（reference）及び便宜のためにコマンド情報又は駆動情報をディスプレイ８１５上に表示する。
【０４８２】
ＲＦモジュール８３５は、プロセッサ８１０に接続され、ＲＦ信号を送信及び／又は受信する。プロセッサ８１０は、通信を開始するために、例えば、音声通信データを構成する無線信号を伝送するようにコマンド情報をＲＦモジュール８３５に伝達する。ＲＦモジュール８３５は、無線信号を受信及び送信するために受信器（receiver）及び送信器（transmitter）から構成される。アンテナ８４０は、無線信号を送信及び受信する機能を果たす。無線信号を受信するとき、ＲＦモジュール８３５は、プロセッサ８１０により処理するために信号を伝達し、ベースバンドに信号を変換することができる。処理された信号は、スピーカ８４５から出力される可聴又は可読情報に変換されることができる。
【０４８３】
以上で説明された実施形態は、本発明の構成要素と特徴とが所定の形態で結合され（組み合わせられ）たものである。各構成要素又は特徴は、別途の明示的な言及がない限り、選択的なものとして考慮されなければならない。各構成要素又は特徴は、他の構成要素や特徴と結合されない形態で実施できる。また、一部の構成要素及び／又は特徴を結合して本発明の実施形態を構成することも可能である。本発明の実施形態で説明される動作の順序は、変更できる。ある実施形態の一部の構成や特徴は、他の実施形態に含まれることができ、又は他の実施形態の対応する構成若しくは特徴と置き換えできる。特許請求の範囲で明示的な引用関係がない請求項を結合して実施形態を構成するか、又は出願後の補正により新たな請求項に含めることができることは自明である。
【０４８４】
本発明に従う実施形態は、多様な手段、例えば、ハードウェア、ファームウエア（firmware）、ソフトウェア、又はそれらの結合などにより具現できる。ハードウェアによる具現の場合、本発明の一実施形態は、１つ又は複数のＡＳＩＣｓ（application specific integrated circuits）、ＤＳＰｓ（digital signal processors）、ＤＳＰＤｓ（digital signal processing devices）、ＰＬＤｓ（programmable logic devices）、ＦＰＧＡｓ（field programmable gate arrays）、プロセッサ、コントローラ、マイクロコントローラ、マイクロプロセッサなどにより具現できる。
【０４８５】
ファームウエアやソフトウェアによる具現の場合、本発明の一実施形態は、以上で説明された機能又は動作を行うモジュール、手続、関数などの形態で具現できる。ソフトウェアコードは、メモリに記憶されてプロセッサにより駆動できる。上記メモリは、上記プロセッサの内部又は外部に位置し、既に公知の多様な手段により上記プロセッサとデータをやり取りすることができる。
【０４８６】
本発明は、本発明の必須的な特徴を逸脱しない範囲で他の特定の形態で具体化できることは、通常の技術者に自明である。したがって、前述した詳細な説明は、全ての面で制限的に解釈されてはならず、例示的なものとして考慮されなければならない。本発明の範囲は、添付した請求項の合理的な解釈により決定されなければならず、本発明の等価的な範囲内での全ての変更は、本発明の範囲に含まれる。
【産業上の利用可能性】
【０４８７】
本発明の無線通信システムにおいて、アップリンク伝送を行う方法は、３ＧＰＰ ＬＴＥ／ＬＴＥ−Ａシステム、５Ｇシステム（Ｎｅｗ ＲＡＴシステム）に適用される例を中心に説明したが、それ以外にも多様な無線通信システムに適用することができる。
【図１】
0006852165.tif 000041
【図２】
0006852165.tif 000042
【図３】
0006852165.tif 000043
【図４】
0006852165.tif 000044
【図５】
0006852165.tif 000045
【図６】
0006852165.tif 000046
【図７】
0006852165.tif 000047
【図８】
0006852165.tif 000048